(57)【要約】【課題】  検索式を作成することなく効率的に検索結果を得ることができ，かつ，検索漏れを防止する。【解決手段】    データ検索装置と通信網を介して接続されたデータ検索システムであって：データ検索サーバ１０６は，抽出されたデータごとに，検索者をして削除対象データを選択可能なように，前記データ検索装置の表示部に表示されたデータに削除対象選択部２２０を付加して表示する削除機能表示部２０４と；検索者により前記削除対象選択部２２０により選択されたデータを表示画面から非表示にする削除対象非表示部２０５と；削除対象非表示部２０５により非表示にされたデータを，その削除操作履歴と削除世代番号とを関連付けて保存する削除履歴管理部２２２と；を備える。【選択図】    図２
2006155229.tif 000002
【特許請求の範囲】
【請求項１】
検索者の検索条件設定を可能にする操作部と検索結果を表示する表示部とを備えたデータ検索装置と，前記検索条件に従ってデータベースに記録されたデータ群から検索条件に合致する一または二以上のデータを抽出するデータ検索サーバと，が通信網を介して接続されたデータ検索システムであって：
前記データ検索サーバは，
抽出されたデータごとに，検索者をして削除対象データを選択可能なように，前記データ検索装置の表示部に表示されたデータに削除対象選択部を付加して表示する削除機能表示部と；
検索者により前記削除対象選択部により選択された一または二以上のデータを表示画面から非表示にする削除対象非表示部と；
前記削除対象非表示部により非表示にされたデータを，その削除操作履歴と削除世代番号とを関連付けて保存する削除履歴管理部と；
を備えたことを特徴とする，データ検索システム。
【請求項２】
前記データ検索サーバは：
前記検索条件に従って抽出されたデータを，検索者が指定可能な分類項目に従って分類し，検索者が指定可能なソート条件に従ってソートする分類／ソート部と；
分類されソートされた検索結果を前記データ検索装置の表示部に一覧表示する一覧表示部とをさらに含み，
前記削除機能表示部は，一覧表示された分類項目ごとに，検索者をして削除対象分類項目を選択可能なように，前記データ検索装置の表示部に表示された一覧表示に前記削除対象選択部を付加して表示し，
前記削除対象非表示部は，検索者により前記削除対象選択部により選択された一または二以上の分類項目を表示画面から非表示にし，
前記削除履歴管理部は，前記削除対象非表示部により非表示にされた分類項目を，その削除操作履歴と削除世代番号とを関連付けて保存することを特徴とする，請求項１に記載のデータ検索システム。
【請求項３】
検索者の検索条件設定入力を可能にする操作部と検索結果を表示する表示部とを備えたデータ検索装置と通信網を介して接続され，前記検索条件に従ってデータベースに記録されたデータ群から検索条件に合致する一または二以上のデータを抽出するデータ検索サーバであって：
抽出されたデータごとに，検索者をして削除対象データを選択可能なように，前記データ検索装置の表示部に表示されたデータに削除対象選択部を付加して表示する削除機能表示部と；
検索者により前記削除対象選択部により選択された一または二以上のデータを表示画面から非表示にする削除対象非表示部と；
前記削除対象非表示部により非表示にされたデータを，その削除操作履歴と削除世代番号とを関連付けて保存する削除履歴管理部と；
を備えたことを特徴とする，データ検索サーバ。
【請求項４】
前記検索条件に従って抽出されたデータを，検索者が指定可能な分類項目に従って分類し，検索者が指定可能なソート条件に従ってソートする分類／ソート部と；
分類されソートされた検索結果を前記データ検索装置の表示部に一覧表示する一覧表示部とをさらに含み，
前記削除機能表示部は，一覧表示された分類項目ごとに，検索者をして削除対象分類項目を選択可能なように，前記データ検索装置の表示部に表示された一覧表示に前記削除対象選択部を付加して表示し，
前記削除対象非表示部は，検索者により前記削除対象選択部により選択された一または二以上の分類項目を表示画面から非表示にし，
前記削除履歴管理部は，前記削除対象非表示部により非表示にされた分類項目を，その削除操作履歴と削除世代番号とを関連付けて保存することを特徴とする，請求項３に記載のデータ検索サーバ。
【請求項５】
前記削除履歴管理部により保存された分類項目および／またはデータを前記削除世代番号ごとに前記データ検索装置に削除履歴一覧を表示する削除履歴一覧表示部と，
前記削除世代番号ごとに，検索者をして削除取消対象の削除世代番号と削除世代番号に関連付けられた分類項目および／またはデータとを選択可能なように，前記データ検索装置に表示された削除履歴一覧表示に削除履歴取消対象選択部を付加して表示する削除履歴取消機能表示部と；
検索者により前記削除履歴取消対象選択部により選択された削除世代番号と削除世代番号に関連づけられた一または二以上の分類項目および／またはデータを削除履歴一覧表示画面から非表示にする削除履歴取消部と；
前記分類項目および／またはデータに関連付けられた前記削除世代番号を更新する削除世代番号更新部と；
を備えたことを特徴とする，請求項３および４に記載のデータ検索サーバ。
【請求項６】
前記削除世代番号が関連付けられた削除データを抽出する削除データ抽出部と；
前記削除データ抽出部により抽出された削除データを，検索者が指定可能な分類項目に従って分類し,検索者が指定可能なソート条件に従ってソートする削除データ分類／ソート部と；
分類されソートされた削除データ検索結果を前記データ検索装置に一覧表示する削除データ一覧表示部と；
分類されソートされた削除データごとに，検索者をして削除取消対象の削除データを選択可能なように，前記データ検索装置に表示された削除データ一覧表示に削除データ取消対象選択部を付加して表示する削除データ取消機能表示部と；
検索者により前記削除データ取消対象選択部により選択された一または二以上の削除データを削除データ一覧表示画面から非表示にする削除データ取消部と；
前記削除データに関連付けられた前記削除世代番号を更新する削除世代番号更新部と；
を備えたことを特徴とする，請求項３〜５に記載のデータ検索サーバ。
【請求項７】
検索者の検索条件設定に従ってデータベースに記録されたデータ群から検索条件に合致する一または二以上のデータを読み込んでデータ検索サーバに送信するデータ検索装置と，前記送信されたデータを検索結果データベースに記憶するデータ検索サーバと，が通信網を介して接続されたデータ検索システムであって：
前記データ検索サーバは，
記録されたデータごとに，検索者をして削除対象データを選択可能なように，前記データ検索装置の表示部に表示されたデータに削除対象選択部を付加して表示する削除機能表示部と；
検索者により前記削除対象選択部により選択された一または二以上のデータを表示画面から非表示にする削除対象非表示部と；
前記削除対象非表示部により非表示にされたデータを，その削除操作履歴と削除世代番号とを関連付けて保存する削除履歴管理部と；
を備えたことを特徴とする，データ検索システム。
【請求項８】
前記データ検索サーバは：
前記データベースに記録されたデータを，検索者が指定可能な分類項目に従って分類し，検索者が指定可能なソート条件に従ってソートする分類／ソート部と；
分類されソートされた検索結果を前記データ検索装置の表示部に一覧表示する一覧表示部とをさらに含み，
前記削除機能表示部は，一覧表示された分類項目ごとに，検索者をして削除対象分類項目を選択可能なように，前記データ検索装置の表示部に表示された一覧表示に前記削除対象選択部を付加して表示し，
前記削除対象非表示部は，検索者により前記削除対象選択部により選択された一または二以上の分類項目を表示画面から非表示にし，
前記削除履歴管理部は，前記削除対象非表示部により非表示にされた分類項目を，その削除操作履歴と削除世代番号とを関連付けて保存することを特徴とする，請求項７に記載のデータ検索システム。
【請求項９】
検索者の検索条件設定に従ってデータベースに記録されたデータ群から検索条件に合致する一または二以上のデータを読み込んでデータ検索サーバに送信するデータ検索装置と通信網を介して接続され，前記送信されたデータを検索結果データベースに記憶するデータ検索サーバであって：
記録されたデータごとに，検索者をして削除対象データを選択可能なように，前記データ検索装置の表示部に表示されたデータに削除対象選択部を付加して表示する削除機能表示部と；
検索者により前記削除対象選択部により選択された一または二以上のデータを表示画面から非表示にする削除対象非表示部と；
前記削除対象非表示部により非表示にされたデータを，その削除操作履歴と削除世代番号とを関連付けて保存する削除履歴管理部と；
を備えたことを特徴とする，データ検索サーバ。
【請求項１０】
前記データ検索サーバは：
前記データベースに記録されたデータを，検索者が指定可能な分類項目に従って分類し，検索者が指定可能なソート条件に従ってソートする分類／ソート部と；
分類されソートされた検索結果を前記データ検索装置の表示部に一覧表示する一覧表示部とをさらに含み，
前記削除機能表示部は，一覧表示された分類項目ごとに，検索者をして削除対象分類項目を選択可能なように，前記データ検索装置の表示部に表示された一覧表示に前記削除対象選択部を付加して表示し，
前記削除対象非表示部は，検索者により前記削除対象選択部により選択された一または二以上の分類項目を表示画面から非表示にし，
前記削除履歴管理部は，前記削除対象非表示部により非表示にされた分類項目を，その削除操作履歴と削除世代番号とを関連付けて保存することを特徴とする，請求項９に記載のデータ検索サーバ。
【請求項１１】
前記削除履歴管理部により保存された分類項目および／またはデータを前記削除世代番号ごとに前記データ検索装置に削除履歴一覧を表示する削除履歴一覧表示部と，
前記削除世代番号ごとに，検索者をして削除取消対象の削除世代番号と削除世代番号に関連付けられた分類項目および／またはデータとを選択可能なように，前記データ検索装置に表示された削除履歴一覧表示に削除履歴取消対象選択部を付加して表示する削除履歴取消機能表示部と；
検索者により前記削除履歴取消対象選択部により選択された削除世代番号と削除世代番号に関連づけられた一または二以上の分類項目および／またはデータを削除履歴一覧表示画面から非表示にする削除履歴取消部と；
前記分類項目および／またはデータに関連付けられた前記削除世代番号を更新する削除世代番号更新部と；
を備えたことを特徴とする，請求項９または１０に記載のデータ検索サーバ。
【請求項１２】
前記削除世代番号が関連付けられた削除データを抽出する削除データ抽出部と；
前記削除データ抽出部により抽出された削除データを，検索者が指定可能な分類項目に従って分類し,検索者が指定可能なソート条件に従ってソートする削除データ分類／ソート部と；
分類されソートされた削除データ検索結果を前記データ検索装置に一覧表示する削除データ一覧表示部と；
分類されソートされた削除データごとに，検索者をして削除取消対象の削除データを選択可能なように，前記データ検索装置に表示された削除データ一覧表示に削除データ取消対象選択部を付加して表示する削除データ取消機能表示部と；
検索者により前記削除データ取消対象選択部により選択された一または二以上の削除データを削除データ一覧表示画面から非表示にする削除データ取消部と；
前記削除データに関連付けられた前記削除世代番号を更新する削除世代番号更新部と；
を備えたことを特徴とする，請求項９〜１１に記載のデータ検索サーバ。
【請求項１３】
検索者が設定する検索条件に従って，データベースに記録されたデータ群から検索条件に合致する一または二以上のデータを抽出するデータ検索装置であって：
抽出されたデータごとに，検索者をして削除対象データを選択可能なように，前記表示装置に表示されたデータに削除対象選択部を付加して表示する削除機能表示部と；
検索者により前記削除対象選択部により選択された一または二以上のデータを表示画面から非表示にする削除対象非表示部と；
前記削除対象非表示部により非表示にされたデータを，その削除操作履歴と削除世代番号とを関連付けて保存する削除履歴管理部と；
を備えたことを特徴とする，データ検索装置。
【請求項１４】
前記データ検索装置は：
前記検索条件に従って抽出されたデータを，検索者が指定可能な分類項目に従って分類し，検索者が指定可能なソート条件に従ってソートする分類／ソート部と；
分類されソートされた検索結果と，分類ごとのデータ件数とを表示装置に一覧表示する一覧表示部とをさらに含み，
前記削除機能表示部は，一覧表示された分類項目ごとに，検索者をして削除対象分類項目を選択可能なように，前記表示装置に表示された一覧表示に前記削除対象選択部を付加して表示し，
前記削除対象非表示部は，検索者により前記削除対象選択部により選択された一または二以上の分類項目を表示画面から非表示にし，
前記削除履歴管理部は，前記削除対象非表示部により非表示にされた分類項目を，その削除操作履歴と削除世代番号とを関連付けて保存することを特徴とする，請求項１３に記載のデータ検索装置。
【請求項１５】
前記削除履歴管理部により保存された分類項目および／またはデータを前記削除世代番号ごとに前記表示装置に削除履歴一覧を表示する削除履歴一覧表示部と，
前記削除世代番号ごとに，検索者をして削除取消対象の削除世代番号に関連付けられた分類項目および／またはデータを選択可能なように，前記表示装置に表示された削除履歴一覧表示に削除履歴取消対象選択部を付加して表示する削除履歴取消機能表示部と；
検索者により前記削除履歴取消対象選択部により選択された削除世代番号に関連付けられた一または二以上の分類項目および／またはデータを削除履歴一覧表示画面から非表示にする削除履歴取消部と；
前記削除履歴取消部により非表示にされた分類項目および／またはデータに関連付けられた前記削除世代番号を更新する削除世代番号更新部と；
を備えたことを特徴とする，請求項１３および１４に記載のデータ検索装置。
【請求項１６】
前記削除世代番号が関連付けられた削除データを抽出する削除データ抽出部と；
前記削除データ抽出部により抽出された削除データを，検索者が指定可能な分類項目に従って分類し,検索者が指定可能なソート条件に従ってソートする削除データ分類／ソート部と；
分類されソートされた削除データ検索結果を前記表示装置に一覧表示する削除データ一覧表示部と；
分類されソートされた削除データごとに，検索者をして削除取消対象の削除データを選択可能なように，前記表示装置に表示された削除データ一覧表示に削除データ取消対象選択部を付加して表示する削除データ取消機能表示部と；
検索者により前記削除データ取消対象選択部により選択された一または二以上の削除データを削除データ一覧表示画面から非表示にする削除データ取消部と；
前記削除データに関連付けられた前記削除世代番号を更新する削除世代番号更新部と；
を備えたことを特徴とする，請求項１３〜１５に記載のデータ検索装置。
【請求項１７】
検索者が設定する検索条件に従って，データベースに記録されたデータ群から検索条件に合致する一または二以上のデータを抽出するデータ検索装置をして：
抽出されたデータごとに，検索者をして削除対象データを選択可能なように，前記表示装置に表示されたデータに削除対象選択部を付加して表示する削除機能表示処理と；
検索者により前記削除対象選択部により選択された一または二以上のデータを表示画面から非表示にする削除対象非表示処理と；
前記削除対象非表示処理により非表示にされたデータを，その削除操作履歴と削除世代番号とを関連付けて保存する削除履歴管理処理と；を実行せしめることを特徴とする，コンピュータプログラム。
【請求項１８】
さらに，前記検索条件に従って抽出されたデータを，検索者が指定可能な分類項目に従って分類し，検索者が指定可能なソート条件に従ってソートする分類／ソート処理と；
分類されソートされた検索結果と，分類ごとのデータ件数とを表示装置に一覧表示する一覧表示処理とを実行せしめ；
前記削除機能表示処理は，一覧表示された分類項目ごとに，検索者をして削除対象分類項目を選択可能なように，前記表示装置に表示された一覧表示に前記削除対象選択部を付加して表示し，
前記削除対象非表示処理は，検索者により前記対象選択部により選択された一または二以上の分類項目を表示画面から非表示にし，
前記削除履歴管理処理は，前記削除対象非表示処理により非表示にされた分類項目を，その削除操作履歴と削除世代番号とを関連付けて保存することを特徴とする，請求項１７に記載のコンピュータプログラム。
【請求項１９】
検索者の検索条件設定に従ってデータベースに記録されたデータ群から検索条件に合致する一または二以上のデータを読み込んで検索結果データベースに記録するデータ検索装置であって：
記録されたデータごとに，検索者をして削除対象データを選択可能なように，前記表示装置に表示されたデータに削除対象選択部を付加して表示する削除機能表示部と；
検索者により前記削除対象選択部により選択された一または二以上のデータを表示画面から非表示にする削除対象非表示部と；
前記削除対象非表示部により非表示にされたデータを，その削除操作履歴と削除世代番号とを関連付けて保存する削除履歴管理部と；
を備えたことを特徴とする，データ検索装置。
【請求項２０】
前記データ検索装置は：
前記データベースに記録されたデータを，検索者が指定可能な分類項目に従って分類し，検索者が指定可能なソート条件に従ってソートする分類／ソート部と；
分類されソートされた検索結果と，分類ごとのデータ件数とを表示装置に一覧表示する一覧表示部とをさらに含み，
前記削除機能表示部は，一覧表示された分類項目ごとに，検索者をして削除対象分類項目を選択可能なように，前記表示装置に表示された一覧表示に前記削除対象選択部を付加して表示し，
前記削除対象非表示部は，検索者により前記削除対象選択部により選択された一または二以上の分類項目を表示画面から非表示にし，
前記削除履歴管理部は，前記削除対象非表示部により非表示にされた分類項目を，その削除操作履歴と削除世代番号とを関連付けて保存することを特徴とする，請求項１９に記載のデータ検索装置。
【請求項２１】
前記削除履歴管理部により保存された分類項目および／またはデータを前記削除世代番号ごとに前記表示装置に削除履歴一覧を表示する削除履歴一覧表示部と；
前記削除世代番号ごとに，検索者をして削除取消対象の削除世代番号に関連付けられた分類項目および／またはデータとを選択可能なように，前記表示装置に表示された削除履歴一覧表示に削除履歴取消対象選択部を付加して表示する削除履歴取消機能表示部と；
検索者により前記削除履歴取消対象選択部により選択された削除世代番号に関連付けられた一または二以上の分類項目および／またはデータを削除履歴一覧表示画面から非表示にする削除履歴取消部と；
前記削除履歴取消部により非表示にされた分類項目および／またはデータに関連付けられた前記削除世代番号を更新する削除世代番号更新部と；
を備えたことを特徴とする，請求項１９および２０に記載のデータ検索装置。
【請求項２２】
前記削除世代番号が関連付けられた削除データを抽出する削除データ抽出部と；
前記削除データ抽出部により抽出された削除データを，検索者が指定可能な分類項目に従って分類し，検索者が指定可能なソート条件に従ってソートする削除データ分類／ソート部と；
分類されソートされた削除データ検索結果を前記表示装置に一覧表示する削除データ一覧表示部と；
分類されソートされた削除データごとに，検索者をして削除取消対象の削除データを選択可能なように，前記表示装置に表示された削除データ一覧表示に削除データ取消対象選択部を付加して表示する削除データ取消機能表示部と；
検索者により前記削除データ取消対象選択部により選択された一または二以上の削除データを削除データ一覧表示画面から非表示にする削除データ取消部と；
前記削除データに関連付けられた前記削除世代番号を更新する削除世代番号更新部と；
を備えたことを特徴とする，請求項１９〜２１に記載のデータ検索装置。
【請求項２３】
検索者の検索条件設定に従ってデータベースに記録されたデータ群から検索条件に合致する一または二以上のデータを読み込んで検索結果データベースに記録するデータ検索装置をして：
記録されたデータごとに，検索者をして削除対象データを選択可能なように，前記表示装置に表示されたデータに削除対象選択部を付加して表示する削除機能表示処理と；
検索者により前記削除対象選択部により選択された一または二以上のデータを表示画面から非表示にする削除対象非表示処理と；
前記削除対象非表示処理により非表示にされたデータを，その削除操作履歴と削除世代番号とを関連付けて保存する削除履歴管理処理と；を実行せしめることを特徴とする，コンピュータプログラム。
【請求項２４】
さらに，前記データベースに記録されたデータを，検索者が指定可能な分類項目に従って分類し，検索者が指定可能なソート条件に従ってソートする分類／ソート処理と；
分類されソートされた検索結果と，分類ごとのデータ件数とを表示装置に一覧表示する一覧表示部とを実行せしめ：
前記削除機能表示部は，一覧表示された分類項目ごとに，検索者をして削除対象分類項目を選択可能なように，前記表示装置に表示された一覧表示に前記削除対象選択部を付加して表示し，
前記削除対象非表示処理は，検索者により前記削除対象選択部により選択された一または二以上の分類項目を表示画面から非表示にし，
前記削除履歴管理処理は，前記削除対象非表示部により非表示にされた分類項目を，その削除操作履歴と削除世代番号とを関連付けて保存することを特徴とする，請求項２３に記載のコンピュータプログラム。
【発明の詳細な説明】
【技術分野】
【０００１】
本発明は，データ検索システム，データ検索装置およびコンピュータプログラムに関する。
【背景技術】
【０００２】
各種情報を検索するデータ検索装置では，一般に，利用者が番号やキーワード等の検索条件を入力し，その検索条件に合致するデータを検索して表示する。
【０００３】
例えば，特許公開公報や特許掲載公報などの特許公報の検索には，キーワードや分類コード，出願日などを組み合わせて検索を行う種々の特許公報検索システムが提供されている。特許公報検索システムにおいて，膨大な特許情報の中から必要とする的確な情報を入手するためには，適切な検索条件を探しだすことが必須となっている。
【０００４】
過不足のない検索結果を得るためには，複雑な論理式を組み立てなければならず，初心者はもちろんのこと，熟練度の高い利用者であっても，容易に検索条件を探しだすことができない。そこで，利用者が適切な検索条件を探し出すことを支援するシステムが提供されている（例えば，特許文献１，特許文献２）。
【０００５】
例えば特許文献１では，フリーキーワードを用いて検索した結果から検索キーを抽出して，検索者がその検索キーを選択していくだけで条件式が作成され，熟練度の低い検索者であっても，容易に適切な検索条件を導くことが可能となる。
【０００６】
【特許文献１】特開２００４−１５８００２号公報
【特許文献２】特開２００２−３５１８９６号公報
【発明の開示】
【発明が解決しようとする課題】
【０００７】
しかし，検索条件を容易に導くことができたとしても，検索条件が厳しい場合には，検索漏れが発生してしまい，逆に検索条件がゆるい場合には，大量の検索結果が返されてしまい，再度検索条件を探し出さなければならず，結果，目的とする文献を得るまでに膨大な作業時間がかかってしまうという問題があった。
【０００８】
そこで，本発明は，このような問題に鑑みてなされたもので，その目的とするところは，複雑な検索式を作成することなく効率的に検索結果を得ることができ，かつ，検索漏れを防止することができる，新規かつ改良された，データ検索システム，データ検索装置およびコンピュータプログラムを提供することにある。
【課題を解決するための手段】
【０００９】
上記課題を解決するために，本発明のある観点によれば，検索者の検索条件設定を可能にする操作部と検索結果を表示する表示部とを備えたデータ検索装置と，前記検索条件に従ってデータベースに記録されたデータ群から検索条件に合致する一または二以上のデータを抽出するデータ検索サーバと，が通信網を介して接続されたデータ検索システムであって：データ検索サーバは，抽出されたデータごとに，検索者をして削除対象データを選択可能なように，データ検索装置の表示部に表示されたデータに削除対象選択部を付加して表示する削除機能表示部と；検索者により削除対象選択部により選択された一または二以上のデータを表示画面から非表示にする削除対象非表示部と；削除対象非表示部により非表示にされたデータを，その削除操作履歴と削除世代番号とを関連付けて保存する削除履歴管理部と；を備えたことを特徴とする，データ検索システムが提供される。
【００１０】
上記データ検索サーバは：検索条件に従って抽出されたデータを，検索者が指定可能な分類項目に従って分類し，検索者が指定可能なソート条件に従ってソートする分類／ソート部と；分類されソートされた検索結果をデータ検索装置の表示部に一覧表示する一覧表示部とをさらに含み，削除機能表示部は，一覧表示された分類項目ごとに，検索者をして削除対象分類項目を選択可能なように，データ検索装置の表示部に表示された一覧表示に削除対象選択部を付加して表示し，削除対象非表示部は，検索者により削除対象選択部により選択された一または二以上の分類項目を表示画面から非表示にし，削除履歴管理部は，削除対象非表示部により非表示にされた分類項目を，その削除操作履歴と削除世代番号とを関連付けて保存してもよい。
【００１１】
上記発明によれば，データ検索装置の表示部に，検索者が設定した検索条件に合致するデータの一覧を表示して，検索者により選択された不要なデータを表示画面から非表示にして削除することができる。また，検索者が指定可能な分類項目やソート条件に従って分類／ソートされたデータを一覧表示することもできる。分類／ソートされたデータの一覧にはそのデータ群の件数も表示されるため，検索者は件数を確認しながらデータを削除することができる。
【００１２】
また，検索者がデータを一覧表示させたり，分類／ソートしたりした後，削除に至るまでの操作履歴と，削除世代番号を関連付けて保存することができる。削除世代番号とは，削除処理を一意に特定するための識別番号である。削除操作履歴と削除世代番号が関連付けて管理されれば，検索者が，削除の履歴と内容を確認することが可能となる。削除履歴を確認することにより，検索結果を絞り込み過ぎてしまった場合においても，絞り込み過ぎてしまった原因を効率的に究明することができる。
【００１３】
上記課題を解決するために，本発明の別の観点によれば，検索者の検索条件設定入力を可能にする操作部と検索結果を表示する表示部とを備えたデータ検索装置と通信網を介して接続され，前記検索条件に従ってデータベースに記録されたデータ群から検索条件に合致する一または二以上のデータを抽出するデータ検索サーバであって：抽出されたデータごとに，検索者をして削除対象データを選択可能なように，データ検索装置の表示部に表示されたデータに削除対象選択部を付加して表示する削除機能表示部と；検索者により削除対象選択部により選択された一または二以上のデータを表示画面から非表示にする削除対象非表示部と；削除対象非表示部により非表示にされたデータを，その削除操作履歴と削除世代番号とを関連付けて保存する削除履歴管理部と；を備えたことを特徴とする，データ検索サーバが提供される。
【００１４】
上記データ検索サーバは，検索条件に従って抽出されたデータを，検索者が指定可能な分類項目に従って分類し，検索者が指定可能なソート条件に従ってソートする分類／ソート部と；分類されソートされた検索結果を前記データ検索装置の表示部に一覧表示する一覧表示部とをさらに含み，削除機能表示部は，一覧表示された分類項目ごとに，検索者をして削除対象分類項目を選択可能なように，データ検索装置の表示部に表示された一覧表示に削除対象選択部を付加して表示し，削除対象非表示部は，検索者により削除対象選択部により選択された一または二以上の分類項目を表示画面から非表示にし，削除履歴管理部は，削除対象非表示部により非表示にされた分類項目を，その削除操作履歴と削除世代番号とを関連付けて保存してもよい。
【００１５】
上記発明によれば，データ検索サーバに備えられたデータベースから，検索者が設定した検索条件に合致するデータを抽出して，一覧を表示させ，検索者により選択された不要なデータを表示画面から非表示にして削除することができる。また，検索者が指定可能な分類項目やソート条件に従って分類／ソートされたデータを一覧表示することもできる。分類／ソートされたデータの一覧にはそのデータ群の件数も表示されるため，検索者は件数を確認しながらデータを削除することができる。
【００１６】
また，検索者がデータを一覧表示させたり，分類／ソートしたりした後，削除に至るまでの操作履歴と，削除世代番号を関連付けて保存することができる。削除世代番号とは，削除処理を一意に特定するための識別番号である。削除操作履歴と削除世代番号が関連付けて管理されれば，検索者が，削除の履歴と内容を確認することが可能となる。削除履歴を確認することにより，検索結果を絞り込み過ぎてしまった場合においても，絞り込み過ぎてしまった原因を効率的に究明することができる。
【００１７】
また，上記データ検索サーバは，削除履歴管理部により保存された分類項目および／またはデータを削除世代番号ごとにデータ検索装置に削除履歴一覧を表示する削除履歴一覧表示部と，削除世代番号ごとに，検索者をして削除取消対象の削除世代番号と削除世代番号に関連付けられた分類項目および／またはデータとを選択可能なように，データ検索装置に表示された削除履歴一覧表示に削除履歴取消対象選択部を付加して表示する削除履歴取消機能表示部と；検索者により削除履歴取消対象選択部により選択された削除世代番号と削除世代番号に関連づけられた一または二以上の分類項目および／またはデータを削除履歴一覧表示画面から非表示にする削除履歴取消部と；分類項目および／またはデータに関連付けられた前記削除世代番号を更新する削除世代番号更新部と；を備えてもよい。
【００１８】
さらに上記データ検索サーバは，削除世代番号が関連付けられた削除データを抽出する削除データ抽出部と；削除データ抽出部により抽出された削除データを，検索者が指定可能な分類項目に従って分類し,検索者が指定可能なソート条件に従ってソートする削除データ分類／ソート部と；分類されソートされた削除データ検索結果を前記データ検索装置に一覧表示する削除データ一覧表示部と；分類されソートされた削除データごとに，検索者をして削除取消対象の削除データを選択可能なように，データ検索装置に表示された削除データ一覧表示に削除データ取消対象選択部を付加して表示する削除データ取消機能表示部と；検索者により前記削除データ取消対象選択部により選択された一または二以上の削除データを削除データ一覧表示画面から非表示にする削除データ取消部と；削除データに関連付けられた削除世代番号を更新する削除世代番号更新部と；を備えてもよい。
【００１９】
上記発明によれば，検索者の選択により，削除したデータを再度復活させることができる。削除されたデータは削除世代番号と関連付けられて管理されているため，削除世代番号を指定して一括して削除を取り消してもよいし，削除されたデータを分類ソートした後，データごとまたは分類項目ごとに削除を取り消してもよい。削除を取り消す場合も，検索者は一覧表示されたデータや分類項目を選択するだけで，削除の取り消しを実行することができる。削除処理，削除取消処理を繰り返すことにより検索者は，複雑な検索式を作成せずとも，効率的に所望の検索結果を得ることができ，削除取消処理により，目的とする文献までを削る検索漏れを防止することができる。
【００２０】
上記課題を解決するために，本発明の別の観点によれば，検索者の検索条件設定に従ってデータベースに記録されたデータ群から検索条件に合致する一または二以上のデータを読み込んでデータ検索サーバに送信するデータ検索装置と，前記送信されたデータを検索結果データベースに記憶するデータ検索サーバと，が通信網を介して接続されたデータ検索システムであって；データ検索サーバは，記録されたデータごとに，検索者をして削除対象データを選択可能なように，前記データ検索装置の表示部に表示されたデータに削除対象選択部を付加して表示する削除機能表示部と；検索者により前記削除対象選択部により選択された一または二以上のデータを表示画面から非表示にする削除対象非表示部と；削除対象非表示部により非表示にされたデータを，その削除操作履歴と削除世代番号とを関連付けて保存する削除履歴管理部と；を備えたことを特徴とする，データ検索システムが提供される。
【００２１】
また，上記データ検索サーバは：データベースに記録されたデータを，検索者が指定可能な分類項目に従って分類し，検索者が指定可能なソート条件に従ってソートする分類／ソート部と；分類されソートされた検索結果をデータ検索装置の表示部に一覧表示する一覧表示部とをさらに含み，削除機能表示部は，一覧表示された分類項目ごとに，検索者をして削除対象分類項目を選択可能なように，データ検索装置の表示部に表示された一覧表示に前記削除対象選択部を付加して表示し，削除対象非表示部は，検索者により削除対象選択部により選択された一または二以上の分類項目を表示画面から非表示にし，削除履歴管理部は，削除対象非表示部により非表示にされた分類項目を，その削除操作履歴と削除世代番号とを関連付けて保存するようにしてもよい。
【００２２】
上記発明によれば，上記データ検索システムとは別の検索システムに検索された検索結果を読み込んで，データ検索装置の表示部に，データの一覧を表示して，検索者により選択された不要なデータを表示画面から非表示にして削除することができる。また，検索者が指定可能な分類項目やソート条件に従って分類／ソートされたデータを一覧表示することもできる。分類／ソートされたデータの一覧にはそのデータ群の件数も表示されるため，検索者は件数を確認しながらデータを削除することができる。
【００２３】
また，検索者がデータを一覧表示させたり，分類／ソートしたりした後，削除に至るまでの操作履歴と，削除世代番号を関連付けて保存することができる。削除世代番号とは，削除処理を一意に特定するための識別番号である。削除操作履歴と削除世代番号が関連付けて管理されれば，検索者が，削除の履歴と内容を確認することが可能となる。削除履歴を確認することにより，検索結果を絞り込み過ぎてしまった場合においても，絞り込み過ぎてしまった原因を効率的に究明することができる。
【００２４】
上記課題を解決するために，本発明の別の観点によれば，検索者の検索条件設定に従ってデータベースに記録されたデータ群から検索条件に合致する一または二以上のデータを読み込んでデータ検索サーバに送信するデータ検索装置と通信網を介して接続され，前記送信されたデータを検索結果データベースに記憶するデータ検索サーバであって；記録されたデータごとに，検索者をして削除対象データを選択可能なように，データ検索装置の表示部に表示されたデータに削除対象選択部を付加して表示する削除機能表示部と；検索者により前記削除対象選択部により選択された一または二以上のデータを表示画面から非表示にする削除対象非表示部と；削除対象非表示部により非表示にされたデータを，その削除操作履歴と削除世代番号とを関連付けて保存する削除履歴管理部と；を備えたことを特徴とする，データ検索サーバが提供される。
【００２５】
また，上記データ検索サーバは：データベースに記録されたデータを，検索者が指定可能な分類項目に従って分類し，検索者が指定可能なソート条件に従ってソートする分類／ソート部と；分類されソートされた検索結果をデータ検索装置の表示部に一覧表示する一覧表示部とをさらに含み，削除機能表示部は，一覧表示された分類項目ごとに，検索者をして削除対象分類項目を選択可能なように，データ検索装置の表示部に表示された一覧表示に削除対象選択部を付加して表示し，削除対象非表示部は，検索者により削除対象選択部により選択された一または二以上の分類項目を表示画面から非表示にし，削除履歴管理部は，削除対象非表示部により非表示にされた分類項目を，その削除操作履歴と削除世代番号とを関連付けて保存するようにしてもよい。
【００２６】
さらに，上記データ検索サーバは，削除履歴管理部により保存された分類項目および／またはデータを前記削除世代番号ごとに前記データ検索装置に削除履歴一覧を表示する削除履歴一覧表示部と，削除世代番号ごとに，検索者をして削除取消対象の削除世代番号と削除世代番号に関連付けられた分類項目および／またはデータとを選択可能なように，データ検索装置に表示された削除履歴一覧表示に削除履歴取消対象選択部を付加して表示する削除履歴取消機能表示部と；検索者により削除履歴取消対象選択部により選択された削除世代番号と削除世代番号に関連づけられた一または二以上の分類項目および／またはデータを削除履歴一覧表示画面から非表示にする削除履歴取消部と；分類項目および／またはデータに関連付けられた削除世代番号を更新する削除世代番号更新部と；を備えてもよい。
【００２７】
さらに，上記データ検索サーバは，削除世代番号が関連付けられた削除データを抽出する削除データ抽出部と；削除データ抽出部により抽出された削除データを，検索者が指定可能な分類項目に従って分類し,検索者が指定可能なソート条件に従ってソートする削除データ分類／ソート部と；分類されソートされた削除データ検索結果を前記データ検索装置に一覧表示する削除データ一覧表示部と；分類されソートされた削除データごとに，検索者をして削除取消対象の削除データを選択可能なように，前記データ検索装置に表示された削除データ一覧表示に削除データ取消対象選択部を付加して表示する削除データ取消機能表示部と；検索者により削除データ取消対象選択部により選択された一または二以上の削除データを削除データ一覧表示画面から非表示にする削除データ取消部と；削除データに関連付けられた削除世代番号を更新する削除世代番号更新部と；を備えてもよい。
【００２８】
上記課題を解決するために，本発明の別の観点によれば，検索者が設定する検索条件に従って，データベースに記録されたデータ群から検索条件に合致する一または二以上のデータを抽出するデータ検索装置であって：抽出されたデータごとに，検索者をして削除対象データを選択可能なように，前記表示装置に表示されたデータに削除対象選択部を付加して表示する削除機能表示部と；検索者により前記削除対象選択部により選択された一または二以上のデータを表示画面から非表示にする削除対象非表示部と；削除対象非表示部により非表示にされたデータを，その削除操作履歴と削除世代番号とを関連付けて保存する削除履歴管理部と；を備えたことを特徴とする，データ検索装置が提供される。
【００２９】
また，上記データ検索装置は：検索条件に従って抽出されたデータを，検索者が指定可能な分類項目に従って分類し，検索者が指定可能なソート条件に従ってソートする分類／ソート部と；分類されソートされた検索結果と，分類ごとのデータ件数とを表示装置に一覧表示する一覧表示部とをさらに含み，削除機能表示部は，一覧表示された分類項目ごとに，検索者をして削除対象分類項目を選択可能なように，表示装置に表示された一覧表示に削除対象選択部を付加して表示し，削除対象非表示部は，検索者により削除対象選択部により選択された一または二以上の分類項目を表示画面から非表示にし，削除履歴管理部は，削除対象非表示部により非表示にされた分類項目を，その削除操作履歴と削除世代番号とを関連付けて保存するようにしてもよい。
【００３０】
上記発明によれば，データ検索装置に備えられたデータベースから，検索者が設定した検索条件に合致するデータを抽出して，一覧を表示させ，検索者により選択された不要なデータを表示画面から非表示にして削除することができる。また，検索者が指定可能な分類項目やソート条件に従って分類／ソートされたデータを一覧表示することもできる。分類／ソートされたデータの一覧にはそのデータ群の件数も表示されるため，検索者は件数を確認しながらデータを削除することができる。
【００３１】
また，検索者がデータを一覧表示させたり，分類／ソートしたりした後，削除に至るまでの操作履歴と，削除世代番号を関連付けて保存することができる。削除世代番号とは，削除処理を一意に特定するための識別番号である。削除操作履歴と削除世代番号が関連付けて管理されれば，検索者が，削除の履歴と内容を確認することが可能となる。削除履歴を確認することにより，検索結果を絞り込み過ぎてしまった場合においても，絞り込み過ぎてしまった原因を効率的に究明することができる。
【００３２】
さらに，上記データ検索装置は，削除履歴管理部により保存されたデータを削除世代番号ごとに表示装置に削除履歴一覧を表示する削除履歴一覧表示部と，削除世代番号ごとに，検索者をして削除取消対象の削除世代番号に関連付けられたデータを選択可能なように，表示装置に表示された削除履歴一覧表示に削除履歴取消対象選択部を付加して表示する削除履歴取消機能表示部と；検索者により削除履歴取消対象選択部により選択された削除世代番号に関連付けられた一または二以上のデータを削除履歴一覧表示画面から非表示にする削除履歴取消部と；削除履歴取消部により非表示にされたデータに関連付けられた削除世代番号を更新する削除世代番号更新部と；を備えてもよい。
【００３３】
さらに，上記データ検索装置は，削除世代番号が関連付けられた削除データを抽出する削除データ抽出部と；削除データ抽出部により抽出された削除データを，検索者が指定可能な分類項目に従って分類し,検索者が指定可能なソート条件に従ってソートする削除データ分類／ソート部と；分類されソートされた削除データ検索結果を前記表示装置に一覧表示する削除データ一覧表示部と；分類されソートされた削除データごとに，検索者をして削除取消対象の削除データを選択可能なように，表示装置に表示された削除データ一覧表示に削除データ取消対象選択部を付加して表示する削除データ取消機能表示部と；検索者により削除データ取消対象選択部により選択された一または二以上の削除データを削除データ一覧表示画面から非表示にする削除データ取消部と；削除データに関連付けられた前記削除世代番号を更新する削除世代番号更新部と；を備えてもよい。
【００３４】
上記発明によれば，検索者の選択により，削除したデータを再度復活させることができる。削除されたデータは削除世代番号と関連付けられて管理されているため，削除世代番号を指定して一括して削除を取り消してもよいし，削除されたデータを分類ソートした後，データごとまたは分類項目ごとに削除を取り消してもよい。削除を取り消す場合も，検索者は一覧表示されたデータや分類項目を選択するだけで，削除の取り消しを実行することができる。削除処理，削除取消処理を繰り返すことにより検索者は，複雑な検索式を作成せずとも，効率的に所望の検索結果を得ることができ，削除取消処理により，検索漏れを防止することができる。
【００３５】
上記課題を解決するために，本発明の別の観点によれば，検索者が設定する検索条件に従って，データベースに記録されたデータ群から検索条件に合致する一または二以上のデータを抽出するデータ検索装置をして：抽出されたデータごとに，検索者をして削除対象データを選択可能なように，示装置に表示されたデータに削除対象選択部を付加して表示する削除機能表示処理と；検索者により削除対象選択部により選択された一または二以上のデータを表示画面から非表示にする削除対象非表示処理と；削除対象非表示処理により非表示にされたデータを，その削除操作履歴と削除世代番号とを関連付けて保存する削除履歴管理処理と；を実行せしめることを特徴とする，コンピュータプログラムが提供される。
【００３６】
さらに，上記コンピュータプログラムは，検索条件に従って抽出されたデータを，検索者が指定可能な分類項目に従って分類し，検索者が指定可能なソート条件に従ってソートする分類／ソート処理と；分類されソートされた検索結果と，分類ごとのデータ件数とを表示装置に一覧表示する一覧表示処理とを実行せしめ；削除機能表示処理は，一覧表示された分類項目ごとに，検索者をして削除対象分類項目を選択可能なように，表示装置に表示された一覧表示に前記削除対象選択部を付加して表示し，削除対象非表示処理は，検索者により前記対象選択部により選択された一または二以上の分類項目を表示画面から非表示にし，削除履歴管理処理は，削除対象非表示処理により非表示にされた分類項目を，その削除操作履歴と削除世代番号とを関連付けて保存してもよい。
【００３７】
上記課題を解決するために，本発明の別の観点によれば，検索者の検索条件設定に従ってデータベースに記録されたデータ群から検索条件に合致する一または二以上のデータを読み込んで検索結果データベースに記録するデータ検索装置であって：記録されたデータごとに，検索者をして削除対象データを選択可能なように，前記表示装置に表示されたデータに削除対象選択部を付加して表示する削除機能表示部と；検索者により前記削除対象選択部により選択された一または二以上のデータを表示画面から非表示にする削除対象非表示部と；削除対象非表示部により非表示にされたデータを，その削除操作履歴と削除世代番号とを関連付けて保存する削除履歴管理部と；を備えたことを特徴とする，データ検索装置が提供される。
【００３８】
また，上記データ検索装置は：データベースに記録されたデータを，検索者が指定可能な分類項目に従って分類し，検索者が指定可能なソート条件に従ってソートする分類／ソート部と；分類されソートされた検索結果と，分類ごとのデータ件数とを表示装置に一覧表示する一覧表示部とをさらに含み，削除機能表示部は，一覧表示された分類項目ごとに，検索者をして削除対象分類項目を選択可能なように，表示装置に表示された一覧表示に削除対象選択部を付加して表示し，削除対象非表示部は，検索者により削除対象選択部により選択された一または二以上の分類項目を表示画面から非表示にし，削除履歴管理部は，削除対象非表示部により非表示にされた分類項目を，その削除操作履歴と削除世代番号とを関連付けて保存するようにしてもよい。
【００３９】
上記発明によれば，上記データ検索装置とは別の検索装置等に検索された検索結果を読み込んで，データ検索装置の表示部に，データの一覧を表示して，検索者により選択された不要なデータを表示画面から非表示にして削除することができる。また，検索者が指定可能な分類項目やソート条件に従って分類／ソートされたデータを一覧表示することもできる。分類／ソートされたデータの一覧にはそのデータ群の件数も表示されるため，検索者は件数を確認しながらデータを削除することができる。
【００４０】
また，検索者がデータを一覧表示させたり，分類／ソートしたりした後，削除に至るまでの操作履歴と，削除世代番号を関連付けて保存することができる。削除世代番号とは，削除処理を一意に特定するための識別番号である。削除操作履歴と削除世代番号が関連付けて管理されれば，検索者が，削除の履歴と内容を確認することが可能となる。削除履歴を確認することにより，検索結果を絞り込み過ぎてしまった場合においても，絞り込み過ぎてしまった原因を効率的に究明することができる。
【００４１】
さらに上記データ検索装置は，削除履歴管理部により保存された分類項目および／またはデータを削除世代番号ごとに表示装置に削除履歴一覧を表示する削除履歴一覧表示部と；削除世代番号ごとに，検索者をして削除取消対象の削除世代番号に関連付けられた分類項目および／またはデータとを選択可能なように，表示装置に表示された削除履歴一覧表示に削除履歴取消対象選択部を付加して表示する削除履歴取消機能表示部と；検索者により削除履歴取消対象選択部により選択された一または二以上の削除世代番号に関連付けられた分類項目および／またはデータを削除履歴一覧表示画面から非表示にする削除履歴取消部と；を備えてもよい。
【００４２】
さらに上記データ検索装置は，削除世代番号が関連付けられた削除データを抽出する削除データ抽出部と；削除データ抽出部により抽出された削除データを，検索者が指定可能な分類項目に従って分類し，検索者が指定可能なソート条件に従ってソートする削除データ分類／ソート部と；分類されソートされた削除データ検索結果を表示装置に一覧表示する削除データ一覧表示部と；分類されソートされた削除データごとに，検索者をして削除取消対象の削除データを選択可能なように，表示装置に表示された削除データ一覧表示に削除データ取消対象選択部を付加して表示する削除データ取消機能表示部と；検索者により削除データ取消対象選択部により選択された一または二以上の削除データを削除データ一覧表示画面から非表示にする削除データ取消部と；削除データに関連付けられた削除世代番号を更新する削除世代番号更新部と；を備えてもよい。
【００４３】
上記発明によれば，検索者の選択により，削除したデータを再度復活させることができる。削除されたデータは削除世代番号と関連付けられて管理されているため，削除世代番号を指定して一括して削除を取り消してもよいし，削除されたデータを分類ソートした後，データごとまたは分類項目ごとに削除を取り消してもよい。削除を取り消す場合も，検索者は一覧表示されたデータや分類項目を選択するだけで，削除の取り消しを実行することができる。削除処理，削除取消処理を繰り返すことにより検索者は，複雑な検索式を作成せずとも，効率的に所望の検索結果を得ることができ，削除取消処理により，検索漏れを防止することができる。
【００４４】
上記課題を解決するために，本発明の別の観点によれば，検索者の検索条件設定に従ってデータベースに記録されたデータ群から検索条件に合致する一または二以上のデータを読み込んで検索結果データベースに記録するデータ検索装置をして：記録されたデータごとに，検索者をして削除対象データを選択可能なように，表示装置に表示されたデータに削除対象選択部を付加して表示する削除機能表示処理と；検索者により削除対象選択部により選択された一または二以上のデータを表示画面から非表示にする削除対象非表示処理と；削除対象非表示処理により非表示にされたデータを，その削除操作履歴と削除世代番号とを関連付けて保存する削除履歴管理処理と；を実行せしめることを特徴とする，コンピュータプログラムが提供される。
【００４５】
さらに，上記コンピュータプログラムは，データベースに記録されたデータを，検索者が指定可能な分類項目に従って分類し，検索者が指定可能なソート条件に従ってソートする分類／ソート処理と；分類されソートされた検索結果と，分類ごとのデータ件数とを表示装置に一覧表示する一覧表示部とを実行せしめ；削除機能表示部は，一覧表示された分類項目ごとに，検索者をして削除対象分類項目を選択可能なように，表示装置に表示された一覧表示に前記削除対象選択部を付加して表示し，削除対象非表示処理は，検索者により削除対象選択部により選択された一または二以上の分類項目を表示画面から非表示にし，削除履歴管理処理は，削除対象非表示部により非表示にされた分類項目を，その削除操作履歴と削除世代番号とを関連付けて保存してもよい。
【発明の効果】
【００４６】
以上説明したように本発明によれば，検索式を作成せずに効率的に検索結果を得ることができ，かつ，検索漏れを防止することもできる，データ検索システム，データ検索装置およびコンピュータプログラムを提供することができる。
【発明を実施するための最良の形態】
【００４７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４８】
本実施形態では，対象となる検索データを特許文献とし，特許文献を検索するデータ検索システム，データ検索装置に本発明を適用して説明する。ここで，特許文献は，権利化前の段階で早期に公開されるものや，権利化の際に公示される特許公報などである。これらの特許公報は，一般に，調査目的の技術分野に，どのような技術や権利などがあるかを調べたり，特定の企業がどのような分野にどのような権利化を図っているかを調べたりするために活用される技術文献である。
【００４９】
本実施形態におけるデータ検索システムでは，年々累積的に増加する技術文献である特許公報のなかから，効率よく，また精度よく目的とする特許公報を検索することができる。
【００５０】
＜１．第１実施形態の説明＞
第１実施形態では，特許公報データベースをデータ検索サーバが有しており，データ検索装置はデータ検索結果をデータ検索サーバから通信網を介して受信する。受信した公報検索結果から，さらに必要な特許公報を取捨選別することにより，漏れのない適量の公報検索結果を得ることができるデータ検索システム１０に本発明にかかるデータ検索システムを適用して説明する。
【００５１】
＜２．データ検索システムの概要＞
まず，第１実施形態にかかるデータ検索システム１０の概要について説明する。データ検索システム１０に含まれるデータ検索装置１０２は，検索者の検索条件の入力を受け付けて，その検索条件をデータ検索サーバ１０６に送信する。ここで，検索者によってデータ検索装置１０２に入力される検索条件は，目的となる特許文献をなるべく漏らさないような比較的ゆるめの条件であるとする。このように，検索者が目的となる特許文献をなるべく漏らさないような条件で最初に行う検索を以降「最初の検索」という。
【００５２】
データ検索サーバ１０６は，最初の検索条件に応じた特許公報の検索結果をデータ検索装置１０２に表示させる。さらに，データ検索装置１０２に表示された最初の検索結果のうち，検索者によって不要であると判断される特許公報が選択されれば，データ検索サーバは，不要な特許公報を非表示にさせる。つまり，検索者にとって不要な特許公報は，データ検索装置１０２の表示画面から削除される。検索者によって，データ検索装置１０２に表示された検索結果から不要な特許公報が次々と選択され，選択された特許公報を削除していくことにより，例えば最初の検索条件によって表示された５０００件の特許公報の中から，５００件程度の適量な検索結果を得ることができる。
【００５３】
＜３．データ検索システムの全体構成＞
次に，図１に基づいて本実施形態にかかるデータ検索システム１０の全体構成について説明する。データ検索システム１０は，データ検索装置１０２と，通信網１０４と，データ検索サーバ１０６などを備える。なお，データ検索装置１０２を複数台備え，各々のデータ検索装置が通信網１０４を介してデータ検索サーバに接続されていてもよい。
【００５４】
データ検索装置１０２は，検索結果等を表示する表示部１１２と，検索条件等を入力する操作部１１４とを備えた情報処理装置である。具体的には，データ検索装置１０２は，例えば，パーソナルコンピュータ等のコンピュータ装置（ノート型，デスクトップ型を問わない。），ＰＤＡ（Ｐｅｒｓｏｎａｌ  Ｄｉｇｉｔａｌ  Ａｓｓｉｓｔａｎｔ）などで構成できる。検索者により，操作部１１４に入力された検索条件は，データ検索サーバ１０６に送信される。また，検索条件に応じた検索結果がデータ通信サーバ１０６から送信され，表示部１１２に表示される。
【００５５】
通信網１０４は，上記データ検索装置１０２とデータ検索サーバ１０６を双方向通信可能に接続する通信回線網である。通信網１０４は，例えば，インターネット，電話回線網，衛星通信網等の公衆回線網や，ＷＡＮ，ＬＡＮ，ＩＰ−ＶＰＮ等の専用回線網などで構成されており，有線・無線を問わない。
【００５６】
データ検索サーバ１０６は，公報データベースを保有し，検索者から入力された検索条件に応じて，検索結果をデータ検索装置１０２に表示させる。また，検索結果を一覧表示したり，検索結果を分類／ソートしてデータ検索装置１０４に表示させたりする。検索者により，データ検索装置１０４の表示部１１２に一覧表示された検索結果から不要なデータが選択されると，そのデータを非表示にする。つまり選択されたデータを表示画面から削除することができる。また，削除したデータをデータ検索装置１０２に一覧表示させることもできる。さらに，削除したデータを分類／ソートして表示画面１１２に表示させ，表示されたデータから必要なデータが選択されることにより，削除を取り消すこともできる。
【００５７】
検索結果や，削除したデータを分類する際の分類項目は，検索者である検索者が指定可能な分類項目であり，例えば，国際特許分類コードであるＩＰＣ（Ｉｎｔｅｒｎａｔｉｏｎａｌ  Ｐａｔｅｎｔ  Ｃｌａｓｓｉｆｉｃａｔｉｏｎ），国際特許分類をさらに細展開した特許庁内分類コードであるＦＩ（Ｆｉｌｅ  Ｉｎｄｅｘ），特許庁が審査などに利用するために全技術分野を約２，６００の技術テーマに分けたテーマコード，出願人，発明者，出願日などを例示できる。
【００５８】
上記の分類コード毎にデータを分類して一覧表示させて，一覧表示されたデータのなかから不要なデータを削除したり，削除したデータを再度復活させたりすることができる。膨大な量の検索結果が分類され，さらにその分類ごとの件数も表示される。検索者は，分類コードと件数を確認しながらデータを削除したり，削除の結果データを絞り込み過ぎてしまった場合には，削除を取り消したりして，複雑な検索式を作成せずとも，効率的に所望の検索結果を得ることが可能となる。
【００５９】
以上，データ検索システム１０の全体構成について説明した。次に，図２に基づいて，本実施形態におけるデータ検索サーバ１０６の機能構成について説明する。
【００６０】
＜４．データ検索サーバの機能構成＞
データ検索サーバ１０６は，一覧表示部２０２と，削除機能表示部２０４と，削除対象非表示部２０５と，削除履歴一覧表示部２０６と，削除履歴取消機能表示部２０８と，削除履歴取消部２１０と，削除データ一覧表示部２１２と，削除データ機能表示部２１４と，削除データ取消部２１６と，分類／ソート部２１８と，削除対象選択部２２０と，削除履歴管理部２２２と，削除履歴取消対象選択部２２４と，削除データ分類／ソート部２２６と，削除データ取消対象選択部２２８と，検索結果管理テーブル２２９と，データ抽出部２４０と，削除履歴管理テーブル２３２と，削除履歴更新部２３４と，削除データ抽出部２３６と，特許公報データベース（以降，公報ＤＢという）２３８などを備える。なお，一覧表示部２０２，削除機能表示部２０４，削除対象非表示部２０５，削除履歴一覧表示部２０６，削除履歴取消機能表示部２０８，削除データ一覧表示部２１２，削除データ機能表示部２１４は，液晶ディスプレイ等の表示装置と，表示装置にデータを表示させるインタフェース部などから構成される。また，削除対象選択部２２０，削除履歴取消対象選択部２２４，削除データ取消対象選択部２２８は，ユーザの入力を受け付けるインタフェース部などから構成される。
【００６１】
上述したように，検索者により，目的となる特許文献をなるべく漏らさないような条件がデータ検索装置１０２に入力されデータ検索サーバに送信される。検索者に入力された検索条件に基づいて，データ抽出部２４０は，公報ＤＢ２３８から「最初の検索結果」である検索結果データを抽出する。この「最初の検索結果」は，上述したように，目的となる特許文献をもらさないような条件により抽出された検索結果であるため，目的となる検索対象以外のデータも多く含まれている。最初の検索結果のなかから，検索対象とは関係ないデータ等を削除していくことにより，ユーザは目的となる検索結果を得ることができる。
【００６２】
データ抽出部２４０により抽出された検索結果データは，検索結果管理テーブル２２９に保存される。また，データ抽出部２４０は，該当するデータを公報ＤＢ２３８から抽出して，削除世代番号を付与して保存してもよい。削除世代番号については，後で後述するが，公報ＤＢ２３８から最初の検索が行われた直後は，削除世代番号に初期値「０」を設定してもよい。
【００６３】
検索結果管理テーブルを図３を参照して詳細に説明する。検索結果管理テーブル２２９には，公報ＤＢから検索者の入力条件に基づいて検索された特許文献が保存されており，例えば，特許文献の出願番号３０２，発明の名称３０４，出願人３０６，発明者３０８，ＩＰＣ３１０，キーワード３１２，生死状態種別３１４，メモ３１６，削除世代番号３１８などが文献ごとに保存されている。この他，検索結果管理テーブル２２９には，出願日，公開番号，公開日，ＦＩ，テーマコード，発明の要約，発明の目的など，公報ＤＢに保存され，特許文献に関連しているデータを保存してもよい。
【００６４】
検索結果管理テーブル２２９に保存された検索結果データは，削除対象選択部２２０が付加されて，データ検索装置１０２の表示部１１２に表示される。
【００６５】
また，検索結果管理テーブル２２９に保存された検索結果データは，分類／ソート部２１８に提供される。分類／ソート部２１８に提供されたデータは，上述したように，検索者が指定可能な分類項目（例えば，ＩＰＣ，ＦＩ等）に従って，分類されソートされ，一覧表示部２０２に提供される。分類されソートされたデータを提供された一覧表示部２０２は，データ検索装置１０２の表示部１１２に分類されソートされたデータを一覧表示させる。また，分類項目ごとに分類項目に含まれるデータ件数を表示させてもよい。
【００６６】
さらに，削除機能表示部２０４は，一覧表示された分類項目ごとに，削除対象選択部２２０を付加して，データ検索装置１０２の表示部１１２に表示させる。ここで，削除対象選択部２２０は，抽出されたデータや一覧表示された分類項目のなかから，検索者が検索対象として不要であると思われる項目を選択することができる機能を有する。削除機能表示部２０４により表示されたデータのなかから，検索者は，検索対象として不要であると思われるデータの削除対象選択部２２０を選択する。削除対象選択部２２０により選択されたデータは，削除対象非表示部２０５により，データ検索装置１０２の表示部１１２の表示から非表示となる。検索者に選択されたデータは画面上からは見えないようになるが，検索結果管理テーブル２２９からは削除されなくてもよい。しかし，検索者にとっては画面上のデータが見えなくなり，データが削除されることになるため，便宜上，画面上のデータを非表示にすることをデータの削除とする。
【００６７】
削除対象選択部２２０により選択されるデータは，抽出されたデータや一覧表示された分類項目の１または２以上であってもよい。２以上の抽出されたデータや一覧表示された分類項目が選択された場合，選択されたデータを一括して削除するようにしてもよい。また，抽出されたデータや一覧表示された分類項目を，削除対象選択部２２０により選択されるごとに削除されるようにしてもよい。
【００６８】
削除対象非表示部２０５により非表示にされたデータまたは分類項目は，削除履歴管理部２２２に提供される。非表示にされたデータまたは分類項目を提供された削除履歴管理部２２２は，非表示にされたデータまたは分類項目を，削除操作履歴と削除世代番号と関連付けて削除履歴管理テーブル２３２に保存する。
【００６９】
図４を参照して，削除履歴管理テーブル２３２を詳細に説明する。図４に示したように，削除履歴ＤＢには，削除世代番号３４０，削除履歴３４２が保存される。削除履歴３４２とは，公報ＤＢ２３８から最初の検索結果が検索されて，その後検索者の入力に応じてデータが分類ソートされ，削除対象非表示部２０５によりデータおよび分類項目が削除されるに至るまでの，データ検索装置１０２の操作部１１４より入力される操作の履歴である。
【００７０】
例えば検索者がまず，データ検索装置１０２の操作部１１４から「バーコード」と入力すると，公報ＤＢ２３８からバーコードに関連する検索結果が抽出される。次に，検索結果を「テーマコード」で分類ソートすると，データ検索装置１０２の表示部１１２にテーマコードごとに分類されソートされた結果が一覧表示される。その中からテーマコードが「５Ｂ０３５」である文献を選択し，さらに「マークシート」という文字列を含むものを選択する。そしてその中の出願番号「平０８−２３９６７３」が不要であると検索者に判断され，削除処理が行われて出願番号「平０８−２３９６７３」の文献が削除される。
【００７１】
このように，テーマコード「５Ｂ０３５」が削除されるに至るまでの操作履歴が削除履歴であり，この場合，「バーコードで検索，テーマコードで分類ソート，テーマコード５Ｂ０３５の文献を選択，平０８−２３９６７３の文献を削除」が削除履歴となる。さらに，次の削除が実行されると，次の削除に至るまでの操作が削除履歴となる。このように削除を繰り返すごとに，削除履歴３４２が削除履歴管理テーブル２３２に保存される。
【００７２】
また，削除世代番号３４０は，削除処理を一意に特定するための識別番号であり，最初の検索結果が検索された後，削除するごとに例えば削除世代番号１，削除世代番号２，削除世代番号３，・・・が割り振られていく。削除履歴管理部２２２は，削除履歴３４２と削除世代番号３４０を関連付けて管理する。例えば，５回目の削除で「バーコードの文字列を含む文献を選択，テーマコードで分類ソート，テーマコード５Ｂ０３５の文献を選択，出願番号平０８−２３９６７３の文献を削除」の操作が行われた場合，削除世代番号３４０は「５」，削除履歴３４２は「バーコードの文字列を含む文献を選択，テーマコードで分類ソート，テーマコード５Ｂ０３５の文献を選択，出願番号平０８−２３９６７３の文献を削除」となる。削除履歴３４２は，検索者が削除に至るまでの操作がわかるように表示されればよい。したがって，図４に記載した削除履歴３４２のように，「バーコード｜テーマコード｜５Ｂ０３５｜マークシート；平０８−２３９６７３」と操作履歴を簡略化して保存してもよい。
【００７３】
また，一覧表示されたデータや，一覧表示された分類項目の中から，２以上の削除するデータを選択して，一括して削除することもできる。例えば，テーマコードで分類した後，テーマコード５Ｂ０２４，５Ｈ３０３，５Ｄ０４４の文献を一括削除することができる。その場合，削除履歴３４２は，「テーマコード；５Ｂ０２４；５Ｈ３０３；５Ｄ０４４」となる。
【００７４】
また，削除履歴管理部２２２は，検索結果管理テーブルに保存されている文献のうち，削除対象となった文献に対して，該当する削除世代番号を付与する。例えば，検索結果管理テーブル２２９に保存されている文献のうち，出願番号が平０８−２３９６７３である文献に削除世代番号５を付与する。
【００７５】
削除履歴一覧表示部２０６は，削除履歴管理テーブル２３２に保存されている削除世代番号と，削除操作履歴を一覧にして，データ検索装置１０２の表示部１１２に表示させる。削除履歴取消機能表示部２０８は，削除履歴一覧表示部２０６により表示された一覧表示に，削除履歴取消対象選択部２２４を付加して表示させることができる。
【００７６】
削除履歴取消対象選択部２２４は，一覧表示された削除履歴のなかから，検索者が再度検索対象に復活させる必要があると判断される削除データが含まれる削除履歴項目を選択することができる機能を有する。削除履歴取消機能表示部２０８により表示された削除履歴項目のなかから，検索者は，検索対象として必要であると思われるデータの削除履歴取消対象選択部２２４を選択する。削除履歴取消対象選択部２２４により選択された削除履歴データは，削除履歴取消部２１０により，削除履歴一覧表示から非表示となる。
【００７７】
削除履歴取消部２１０により削除履歴一覧表示から非表示となった削除履歴データは，削除履歴更新部２３４に提供される。削除履歴データを提供された削除履歴更新部２３４は，削除履歴管理テーブル２３２から，削除取消となった削除履歴データを削除するとともに，検索結果管理テーブル２２９に保存され，削除取消となった削除履歴データに含まれる文献の削除世代番号を初期値０に更新する。
【００７８】
削除データ抽出部２３６は，検索結果管理テーブル２２９から０以外の削除世代番号が付与されている削除データを抽出して，削除データ分類／ソート部２２６に提供する。削除データ分類／ソート部２２６は，検索者により，データ検索装置１０２の操作部１１４から指定された分類項目，ソート条件に従って，抽出されたデータを分類しソートして，削除データ一覧表示部２１２に提供する。削除データ一覧表示部２１２は，削除データをデータ検索装置１０２の表示部１１２に表示させる。
【００７９】
削除データ機能表示部２１４は，削除データ一覧表示部２１２により一覧表示された削除データ一覧に削除データ取消対象選択部２２８を付加して表示させる。削除データ取消対象選択部２２８は，一覧表示された削除データのなかから，検索者が削除を取り消す必要があると思われる削除データを選択することができる機能を有する。削除機能表示部２０４により表示されたデータのなかから，検索者は，削除を取り消す必要がある削除データの削除データ取消対象選択部２２８を選択する。削除データ取消対象選択部２２８より選択されたデータは，削除データ取消部２１６により削除データ一覧表示から非表示となる。
【００８０】
削除データ取消部２１６により削除データ一覧表示から非表示となった削除データは，削除履歴更新部２３４に提供される。削除データを提供された削除履歴更新部２３４は，検索結果管理テーブルに保存されているデータのなかから，削除取消となった削除データに該当するデータの削除世代番号を初期値０に更新する。
【００８１】
上述したデータ検索サーバ１０６を備えたデータ検索システム１０により，検索者は，ノイズを多く含む検索結果から，必要のないデータを削除したり，削除したデータ一覧のなかから，やはり必要であると思われるデータの削除を取り消したりして，過不足の少ない検索結果を効率よく得ることができる。また，検索結果や，削除履歴一覧，削除データ一覧はデータ検索装置１０２に一覧表示されるため，検索対象となるデータを見ながら削除処理や削除取消処理を行うことができる。さらに，検索者が指定可能な項目によって，データが分類されて，そのデータ群の件数とともに一覧表示されるため，検索者は，分類項目と件数を確認しながら効率よくノイズを除去していくことができる。したがって，複雑な検索式を作成せずともデータ検索装置１０２の表示部１１２に表示された項目を選択するだけで，所望の検索結果を効率的に導き出すことが可能となる。
【００８２】
以上，データ検索サーバ１０６の機能構成について説明した。次に，図５に基づいてデータ検索システムの第２の実施形態について説明する。
【００８３】
＜５．第２実施形態の説明＞
図５は，本発明の第２の実施形態にかかるデータ検索システム２０の全体構成図である。第２実施形態では，データ検索システム２０は，データ検索装置１１０と，通信網１１２と，データ検索サーバ１１４などを備える。本実施形態については，第１実施形態と異なる点についてのみ説明を行い，第１実施形態と同様の機能については説明を省略する。
【００８４】
本実施形態では，まず，検索者の検索条件に基づいて検索された検索結果データ１１６が，データ検索装置１１０に読み込まれる。そして，データ検索装置１１０に読み込まれた検索結果データ１１６は，通信網１１２を介してデータ検索サーバ１１４に送信される。ここで，特許文献が記録されている公報ＤＢは，データ検索システム２０とは別の検索システムに備えられており，検索結果データ１１６は，別の検索システムにより公報ＤＢから検索されたデータである。
【００８５】
検索結果データ１１６が，通信網１１２を介してデータ検索サーバ１１４に送信され，送信された検索結果データ１１６は，データ検索サーバ１１４の検索結果管理テーブルに保存される。つまり，図２に示したデータ検索サーバの機能構成において，公報ＤＢ２３８とデータ抽出部２４０はデータ検索システム２０とは別のシステムに備えられており，検索結果データ１１６は検索結果管理テーブル２２９に保存されることとなる。
【００８６】
第１実施形態では，データ検索サーバに公報ＤＢと，公報ＤＢから最初の検索を行うデータ抽出部が備えられていたが，上述したように，公報ＤＢと最初の検索を行うデータ抽出部はデータ検索サーバとは別の情報処理装置に備えられていてもよい。
【００８７】
以上，第２実施形態の全体構成について説明した。次に，第３実施形態について説明する。
【００８８】
＜６．第３実施形態の説明＞
図６は，本発明の第３の実施形態を説明する図である。第３実施形態では，公報データが記録されている記録媒体１２６から，検索者の入力に基づいて目的となる検索結果を得ることができるデータ検索装置１２０に本発明にかかるデータ検索装置を適用して説明する。
【００８９】
公報データが記録されている記録媒体１２６は，ＣＤ，ＤＶＤ等，各種情報を電気的，磁気的または光学的に書き込んだり，読み出したりする記録媒体である。データ検索装置１２０は，検索者が検索条件等を入力することが可能な入力装置１２４と，検索結果を表示することが可能な表示装置１２２を備えており，さらに，第１実施形態にかかるデータ検索サーバ１０６とほぼ同様の機能構成を備えた情報処理装置である。つまり，データ検索システム１２０は，図２に示したデータ検索サーバ１０６の機能構成とほぼ同様の機能構成を備えている。公報データが記録されている記録媒体１２６が，図２の公報ＤＢ２３８に置き換えて構成されれば，データ検索装置１２０において，本発明を実施することが可能となる。
【００９０】
このように，第１および第２実施形態のデータ検索サーバに備えられている機能を，データ検索装置に備えられていてもよい。以上，第３実施形態について説明した。次に，第４実施形態について説明する。
【００９１】
＜７．第４実施形態の説明＞
図７は，本発明の第４の実施形態を説明する図である。第４実施形態では，検索者の検索条件に基づいた検索結果から，検索者の入力に基づいて目的となる検索結果を得ることできるデータ検索装置１３０に，本発明にかかるデータ検索装置を適用して説明する。データ検索装置１３０は，検索者が検索条件を入力可能な入力装置１３４と，検索結果を表示可能な表示装置１３２などを備える。本実施形態については，第３実施形態と異なる点についてのみ説明を行い，第３実施形態と同様の機能については説明を省略する。
【００９２】
本実施形態では，まず，検索条件に基づいた検索結果データ１３６が，データ検索装置１３０に読み込まれる。検索結果データ１３６は，データ検索装置１３０とは別体の装置に記憶された公報データから検索されたデータである。第３実施形態では，公報データおよび公報データから検索者の入力に応じて最初の検索結果を抽出する機能は，データ検索装置１２０に備えられている。一方，本実施形態では，公報データおよび公報データから最初の検索結果を抽出する機能は別の装置に備えられており，別の装置において抽出された検索結果データ１３６がデータ検索装置１３０に読み込まれる。
【００９３】
本実施形態のデータ検索装置１３０の機能構成は，公報データおよび公報データから最初の検索結果を抽出する機能以外は，第３実施形態のデータ検索装置１２０の機能構成とほぼ同様である。したがって，データ検索装置１３０は，最初の検索結果である検索結果データ１３６を読み込んで，その検索結果データ１３６を取捨選別することにより，検索者が目的とする検索結果を提供することができる。
【００９４】
このように，公報データと，公報データから最初の検索を行うデータ抽出部が，データ検索装置とは別の装置に備えられていてもよい。
【００９５】
以上，第４実施形態について説明した。上述したように，本発明にかかる実施形態では，ノイズを多く含む「最初の検索」結果から，検索者の入力に応じて，必要のないデータを削除したり，削除したデータ一覧のなかから，必要であるデータの削除を取り消したりすることにより，過不足の少ない検索結果を得ることができる。第１〜第４実施形態においては，「最初の検索」結果から，ノイズを除去するために行う削除処理および削除取消処理は，共通の処理となる。次に，図８に基づいて第１〜第４実施形態にかかる共通の「削除処理」および「削除取消処理」について詳しく説明する。なお，説明の際に図９〜図１５に示した画面表示例を適宜参照する。
【００９６】
＜８．削除処理の流れ＞
図８は，削除処理を説明するフローチャートである。まず，公報検索結果データが読み込まれる（Ｓ１０２）。第１実施形態および第３実施形態においては，公報ＤＢから検索結果データが抽出される。ここで，公報データベースから検索または抽出される検索結果は，目的となる特許文献をなるべく漏らさないような条件によって検索された「最初の検索」結果である。
【００９７】
次に，ステップＳ１０２において検索された検索結果が，データ検索装置の表示装置の公報一覧画面に表示される（Ｓ１０４）。ここで，公報一覧画面として，例えば図９に示すような画面が表示される。図９に示したように，公報一覧画面には，検索者によりキーワードが入力されたり，分類項目が選択されたりする選択欄３６０と，各特許文献の内容を表示する文献データ表示欄３６１が表示される。
【００９８】
文献データ表示欄３６１には，各文献の発明の名称や，出願人，発明者，出願日等を含む書誌事項３６８，発明の目的や構成３７２，特許文献に含まれるキーワード３７３を含む抄録３６９などが表示され，さらに各文献の表示を非表示にすることができる削除欄３７８が表示される。削除欄３７８は，本実施形態の削除対象選択部として機能させることができる。また，抄録３６９には，各文献に関連する事項を検索者が入力することができるメモ欄３７４も表示される。
【００９９】
選択欄３６０には，例えば，出願人やテーマコードなどで文献データを分類／ソートし，その結果を一覧表示する分類項目指定欄３６２と，文献データのキーワードを入力するキーワード入力欄３６３と，キーワードを入力してキーワード検索を実行させる検索実行ボタン３６６，削除欄３７８にチェックされた文献データを非表示にする更新実行ボタン３６７などが表示される。さらに，非表示となった文献データの一覧を表示させるごみ箱欄３６５が表示される。
【０１００】
図８に戻り，ステップＳ１０４において，上述した公報一覧画面が表示された後，検索者により各文献データにコメント等が追加される（Ｓ１０６）。本実施形態では，文献データをテーマコードで分類したり，出願人で分類したりすることができる。そのため，一度内容をチェックした文献データの背景色を変更したり，メモを追加したりしておけば，重複チェックを避けることができる。このようなコメント追加は，ステップＳ１０６のコメント追加後に限らず，文献データが表示されれば，いつでも実施することができる。
【０１０１】
図１０は，文献データの背景色を変更した表示例である。図１０に示したように，文献データ表示欄３６１の書誌事項３６８に背景色選択欄３７０が表示される。検索者は，背景色選択欄３７０のなかから，その文献データに適した背景色を選択することができる。例えば，背景色選択欄のなかから「Ｒ」が選択されれば，その文献データの背景色が赤色になる。
【０１０２】
また，図９のメモ欄３７４を選択すると，図１１に示したメモ記入画面３８０が表示される。図１１のメモ記入欄３８２において，検索者は，独自に文献データに対するメモを入力することができる。メモ記入欄３８２にコメントが入力されると，図１２に示したように，文献データ表示欄３６１の抄録３６９のメモ欄３７４に，検索者により入力されたコメントが表示される。検索者はコメント入力後，キーワード入力欄３６３より自ら入力したコメントに基づいた検索を実行することもできる。
【０１０３】
図８に戻り，ステップＳ１０８において，検索者により公報一覧画面に表示されている文字列または，上述した選択メニューのなかからソート指定項目等が選択されたかを判定する（Ｓ１０８）。ここで文字列とは，公報一覧画面に表示されている文字列であればよく，文献データを分類またはソートするためのキーワードとなる。例えば図９の書誌事項３６８に表示された出願人「ＡＡＡ（株）」を選択したとする。検索者により出願人「ＡＡＡ（株）」が選択されると，文献データのなかから，出願人が「ＡＡＡ（株）」である文献データが検索され表示される（Ｓ１１０）。図１３は，出願人「ＡＡＡ（株）」が選択された結果を示す表示例である。例えば，出願状態である「審査請求前」を選択すれば，文献データのなかから「審査請求前」のデータが検索され一覧表示される。
【０１０４】
このように，検索者は検索キーワードを考えて入力することなく，文献データに表示されている項目を選択するだけで簡単に文献データを検索することが可能となる。また，ステップＳ１０８において，選択メニューのなかから，ソート指定項目を選択することもできる。例えば，図１４は，選択メニューのなかから「テーマコード」が選択された結果を示す表示例である。図１４に示したように，文献データがテーマコード別に分類され，そのテーマコードとともに，テーマコードの名称も表示される。
【０１０５】
これにより，テーマコード別に分類された一覧のなかから，検索者が目的とする結果からは程遠いと思われるデータを瞬時に判断することが可能となる。例えば検索者が「特許検索システム」に関連する特許文献を検索する際に，最初の検索において，「情報処理装置」をキーワードとして公報ＤＢから文献データを抽出したとする。そして，選択メニューのなかから「テーマコード」が選択されて，図１４の表示画面が表示されたとすると，項番４，５に表示されている「４Ｃ０８６（他の有機化合物及び無機化合物含有医薬）」，「４Ｈ００６（有機低分子化合物及びその製造）」は検索者が目的とする検索結果からは程遠いと判断することができる。
【０１０６】
また，件数欄３９５に，表示されている文献データの件数を表示させてもよい。さらに，各テーマコードの件数を表示させてもよい。これにより，検索者は１回の削除処理によって何件のデータが削除され，現在何件のデータが検索結果として表示されているかを確認することができる。検索式を作成して検索結果を得る際には，検索式によって検索条件を指定して実行した後にしか検索結果の件数を確認することができない。一方，本実施形態では，何件の検索データを削除して，結果検索結果が何件となるかを確認しながら絞込みを行うことが可能となる。
【０１０７】
また，検索者によって選択された背景色に基づいて検索を行うこともできる。例えば，図１５に示したように，キーワード検索欄３６３に「ｃｏｌｏｒ：Ｇ」と入力して検索実行３６６ボタンを選択することにより，背景色が緑の文献データのみが表示される。これにより，一度背景色を変更した文献データについて，後から，その背景色ごとに文献データを分類して表示させることができる。
【０１０８】
図８に戻り，上述した検索者による文字列選択操作や，メニュー選択操作が，操作履歴として一時的に保存される（Ｓ１１２）。そして，表示されたデータのうち，削除欄が選択され，削除が実行されたかを判定する（Ｓ１１４）。削除欄は，図９に示したように，データ一件ごとに，また図１４に示したように分類された分類項目ごとに付加されるため，検索者はデータ一件ごとに文献データを削除することもできるし，分類項目ごとに複数件数をまとめて削除することもできる。また，削除欄を選択すると同時に選択されたデータが非表示になるようにしてもよいし，２以上の削除欄を選択した後，更新実行ボタンを選択することにより，削除欄が選択されたデータを一括して非表示にするようにしてもよい。
【０１０９】
ステップＳ１１４において削除が実行された場合，削除にいたるまでの操作履歴とともに，削除されたデータまたは分類項目も操作履歴として一時的に保存される。そして，一時的に保存されている操作履歴を削除履歴として，削除履歴管理テーブルに当該削除処理を一意に識別するための削除世代番号とともに保存する。また，検索結果テーブルに記録されている文献データのなかから，削除対象となる文献データに該当する削除世代番号を付与する。最後に，メモリ上の履歴エリアに一時保存された操作履歴はクリアされる（Ｓ１１６）。
【０１１０】
検索者の入力に応じて，ステップＳ１０４〜Ｓ１１６の処理が繰り返されることにより，検索者の目的とする検索結果になるようにステップＳ１０２で読み込まれた公報検索結果が絞り込まれていく。検索者により削除が実行される度ごとに，削除に至るまでの操作履歴が削除履歴管理テーブルに保存され，削除処理を一意に特定可能な削除世代番号が付与される。したがって，ステップＳ１０４〜Ｓ１１６の処理が繰り返されると，削除履歴管理テーブルにつぎつぎと削除履歴と削除世代番号が保存されていく。
【０１１１】
以上，削除処理の流れについて説明した。次に，図１６に基づいて削除取消処理の流れについて説明する。なお，説明の際に図１７，１８に示した画面表示例を適宜参照する。
【０１１２】
＜９．削除取消処理の流れ＞
まず，公報一覧画面の選択欄３６０の削除履歴一覧３６５が選択されたかを判定する（Ｓ１２２）。ステップＳ１２２において，削除履歴一覧３６５が選択されると，削除一覧が表示される（Ｓ１２４）。図１７は，削除一覧の表示例である。ステップＳ１２４において表示される削除一覧は，上述した削除履歴管理テーブルに保存された削除履歴である。図１７に示したように，削除一覧４００には，削除世代番号４０２，削除履歴４０４，削除件数４０６が表示され，さらに削除を取り消すための復活欄４０８などが表示される。復活欄４０８は，本実施形態の削除履歴取消対象選択部として機能させることができる。
【０１１３】
また，削除一覧４００に，削除された文献データの一覧を表示させることもできる。削除された文献データの一覧を表示させる場合，上述した検索結果データのなかから，０以外の削除世代番号が付与されている文献データをすべて表示させてもよい。表示された文献データに，上述した復活欄４０８を付加して表示させ，検索者により削除を取り消す必要のある文献データに付加された復活欄４０８が選択されることにより，削除を取り消すことができる。この場合，復活欄４０８は，本実施形態の削除データ取消対象選択部として機能させることができる。さらに，削除データを分類したり，ソートしたりして表示させてもよい。
【０１１４】
図１６に戻り，ステップＳ１２６において，削除取消が実行されたか否かを判定する。具体的には，検索者が，削除一覧のなかから削除取消の対象となるデータを選択して，取消を実行したか否かを判定する。例えば検索者は，図１７に表示された削除一覧の中から，削除取消の対象となる世代番号「２」，削除履歴「出願日；１９８０；１９８１；１９８３；１９８４」に付加されている復活欄を選択して，更新実行ボタンを選択する。
【０１１５】
ステップＳ１２６において削除取消が実行された場合，削除取消結果を表示する（Ｓ１２８）。具体的には，ステップＳ１２６で選択された削除取消データの表示を非表示にする。例えば，図１８に示したように，ステップＳ１２６で選択された削除世代番号「２」，削除履歴「出願日；１９８０；１９８１；１９８３；１９８４」のデータが画面から削除される。
【０１１６】
図１６に戻り，ステップＳ１３０において，ステップＳ１２６において選択された削除取消対象データの削除世代番号のクリア，削除履歴のクリアと，削除取消にいたるまでの操作履歴をクリアする。例えば，特許出願公開番号が「平０８−２３９６７３」というデータに削除世代番号６が付与されていたとすると，ステップＳ１３０において，その削除世代番号を初期値である０にする。これにより，次回検索者が削除取消データ一覧を参照する際「平０８−２３９６７３」の文献データは表示されない。
【０１１７】
また，上述したように，削除履歴管理テーブルには，削除世代番号と削除履歴が関連付けられて保存されている。ステップＳ１３０において，削除取消対象のデータが，削除履歴管理テーブルから削除される。
【０１１８】
このように，本実施形態では，検索結果のなかから削除されたデータのみを一覧表示して，一覧表示された削除データのなかから，削除する必要のないデータを復活することができる。したがって，検索者は，上述した削除処理によって検索結果データから効率的にノイズを除去し，かつ削除取消処理によって目的とする文献までを削る検索漏れを防止することができる。
【０１１９】
また，削除処理と，削除取消処理を繰り返して実行してもよい。削除取消処理においては，削除した順番に削除データを復活することもできるし，削除したデータや削除履歴を見ながら検索者の指定に応じて削除データを復活することもできる。例えば，図１７において，削除世代番号１〜４のデータを一括して復活させることもできるし，削除世代番号３と５のデータを復活させることもできる。これにより，複雑な検索式を作成することなく，検索式では得ることのできない複雑な検索条件を効率的に導き出すことが可能となる。
【０１２０】
以上，削除取消処理の流れについて説明した。次に，図１９〜３４に基づいて，削除処理および削除取消処理を繰り返すことにより，どのように所望の検索結果を得ることができるかについて詳細に説明する。
【０１２１】
＜１０．削除処理および削除取消処理の説明＞
図１９は，公報ＤＢから最初の検索結果を得るまでの処理の流れを説明する図である。ここで，ユーザ端末は，検索者がキーワード等の入力を行うことができる入力装置と，検索結果を表示することができる表示装置を備えたデータ検索装置の１例である。また，制御ＡＰは，データ検索サーバまたはデータ検索装置に備えられ，削除処理および削除取消処理を行うプログラムの１例である。
【０１２２】
まず，ユーザ端末５０から最初の検索条件が入力される（Ｓ１５０）。上述したように，最初の検索条件とは，目的となる特許文献をなるべく漏らさないような条件である。制御ＡＰ６０は，最初の検索を実行し，公報ＤＢから検索条件に応じた検索結果を抽出する（Ｓ１５２）。また，制御ＡＰ６０は，抽出した検索結果を検索結果管理ＤＢ２２９に記録する（Ｓ１５４）。さらに，ユーザ端末５０に抽出した検索結果を表示させる（Ｓ１５６）。
【０１２３】
図２０は，最初の検索（Ｓ１５０〜１５６）が行われた際の，最初の検索結果の範囲と，検索者が目的とする検索結果を表したイメージ図である。図２０に示したように，最初の検索結果５００は，検索者が目的とする検索結果５０２を必ず含むような検索条件で抽出しているため，必然的に多くのノイズ５０１を含んでいる。
【０１２４】
次に，図２１に示したように，ユーザ端末５０により，テーマコード順が選択される（Ｓ２０２）。具体的には，上述した公報一覧表示画面の選択欄の「テーマコード順」が選択される。制御ＡＰ６０は，ユーザの操作履歴を一時保存エリアである履歴エリア２４０に，「操作履歴：テーマコード順」を保存する（Ｓ２０４）。また，検索結果管理テーブル２２９に保存されているデータをテーマコード順に分類，ソートして（Ｓ２０６），ユーザ端末５０の表示画面に表示させる（Ｓ２０８）。
【０１２５】
次に，ユーザ入力により，テーマコード順に分類，ソートされたデータのなかから，テーマコード「Ａ，Ｃ」を含む文献データが一括削除される（Ｓ２１０）。具体的には，テーマコードで分類されソートされて一覧表示された文献データのなかから，テーマコードがＡまたはＣであるデータに付加された削除欄が選択され，更新実行ボタンが選択される。その際，制御ＡＰ６０はステップＳ２０４において保存した操作履歴を取得して，その操作履歴とステップＳ２１０で実行された削除操作とを合わせて削除操作履歴とする。この場合の削除操作履歴は，例えば，「テーマコード順でソート；テーマコードＡ，Ｃを含む文献データを一括削除」となる。操作履歴取得後，履歴エリアをクリアする（Ｓ２１２）。次に，ステップＳ２１０で実行された削除操作に対応する削除世代番号を１として，削除操作履歴と削除世代番号とを関連付けて削除履歴管理テーブル２３２に保存する（Ｓ２１４）。
【０１２６】
また，検索結果管理テーブル２２９のテーマコードが「Ａ，Ｃ」を含む文献データに削除世代番号１を付与する（Ｓ２１６）。ここで，ステップＳ２１２で実行される履歴エリアデータのクリアは，ステップＳ２１６実行後に行われてもよい。そして，制御ＡＰ６０は画面表示を更新して，ユーザ端末の表示画面からテーマコード「Ａ，Ｃ」を含むデータを非表示にさせる（Ｓ２１８）。
【０１２７】
図２２は，ステップＳ２１０〜２１８において，テーマコード「Ａ，Ｃ」を含む文献が一括削除された結果を表すイメージ図である。ステップＳ２１０〜２１８の削除処理の結果，テーマコード「Ａ，Ｃ」を含む文献データが一括削除され，その削除範囲５０４に削除世代番号１が付与される。図２２に示したように，削除処理の結果，ノイズ５０１−ａは，図２０に示したノイズ５０１に比べ，削除世代番号１が付与された削除範囲５０４の分だけ減少していることがわかる。
【０１２８】
次に，図２３に示したように，ユーザ入力に応じて，テーマコード順に分類，ソートされたデータのなかから，テーマコード「Ｌ，Ｍ」を含む文献データが一括削除される（Ｓ２１９）。具体的には，テーマコードで分類されソートされて一覧表示された文献データのなかから，テーマコードが「Ｌ，Ｍ」であるデータに付加された削除欄が選択され，更新実行ボタンが選択される。その際，制御ＡＰはステップＳ２２０において履歴エリア２４０に保存されている操作履歴を取得して，その操作履歴とステップＳ２１９で実行された削除操作とを合わせて削除操作履歴とする。この場合，１回目の削除が実行されてから２回目の実行が行われるまでのユーザによる入力は，テーマコード「Ｌ，Ｍ」を含む文献データの一括削除のみであるので，削除操作履歴は「テーマコードＬ，Ｍの一括削除」だけとなる。操作履歴取得後，履歴エリアをクリアする（Ｓ２２０）。次に，ステップＳ２１９で実行された削除操作に対応する削除世代番号を２として，削除操作履歴と削除世代番号とを関連付けて削除履歴管理テーブル２３２に保存する（Ｓ２２２）。
【０１２９】
また，検索結果管理テーブル２２９のテーマコードが「Ｌ，Ｍ」を含む文献データに削除世代番号２を付与する（Ｓ２２４）。そして，制御ＡＰ６０は画面表示を更新して，ユーザ端末の表示画面からテーマコード「Ｌ，Ｍ」を含むデータを非表示とする（Ｓ２２６）。
【０１３０】
図２４は，ステップＳ２１８〜２２６において，テーマコード「Ｌ，Ｍ」を含む文献が一括削除された結果を表すイメージ図である。ステップＳ１２８〜２２６の削除処理の結果，テーマコード「Ｌ，Ｍ」を含む文献データが一括削除された結果，その削除範囲５０６に削除世代番号２が付与される。図２４に示したように，削除処理の結果，ノイズ５０１−ｂは，図２２に示されたノイズ５０１−ａに比べ，削除世代番号２が付与された削除範囲５０６の分だけ減少していることがわかる。
【０１３１】
次に，図２５に示したように，ユーザ端末５０により，ＦＩ順が選択される（Ｓ２２８）。具体的には，上述した公報一覧表示画面の選択欄の「ＦＩ順」が選択される。制御ＡＰ６０は，ユーザの操作履歴を一時保存エリアである履歴エリア２４０に保存する（Ｓ２３０）。また，検索結果管理テーブル２２９に保存されているデータをＦＩ順に分類，ソートして（Ｓ２３２），ユーザ端末５０の表示画面に表示させる（Ｓ２３４）。
【０１３２】
次に，ユーザ入力により，ＦＩ順に分類，ソートされたデータのなかから，ＦＩが「ａ，ｄ，ｆ，ｐ」を含む文献データが一括削除される（Ｓ２３６）。具体的には，ＦＩごとに分類されソートされて一覧表示された文献データのなかから，ＦＩが「ａ，ｄ，ｆ，ｐ」であるデータに付加された削除欄が選択され，更新実行ボタンが選択される。その際，制御ＡｐはステップＳ２３０において保存した操作履歴を取得して，その操作履歴とステップＳ２３６で実行された削除操作とを合わせて削除操作履歴とする。操作履歴取得後，履歴エリアをクリアする（Ｓ２３８）。次に，ステップＳ２３６で実行された削除操作に対応する削除世代番号を３として，削除操作履歴と削除世代番号とを関連付けて削除履歴管理テーブル２３２に保存する（Ｓ２４０）。
【０１３３】
また，検索結果管理テーブル２２９のＦＩが「ａ，ｄ，ｆ，ｐ」である文献データに削除世代番号３を付与する（Ｓ２４２）。そして，制御ＡＰ６０は画面表示を更新して，ユーザ端末の表示画面からＦＩが「ａ，ｄ，ｆ，ｐ」であるデータを非表示にさせる（Ｓ２４４）。
【０１３４】
図２６は，ステップＳ２３６〜２４４において，ＦＩが「ａ，ｄ，ｆ，ｐ」である文献データが一括削除された結果を表すイメージ図である。ステップＳ２３６〜２４４の削除処理の結果，ＦＩが「ａ，ｄ，ｆ，ｐ」の文献データが一括削除され，その削除範囲５０８に削除世代番号３が付与される。図２６に示したように，削除処理の結果，ノイズ５０１−ｃは，図２４に示されたノイズ５０１−ｂに比べ，削除世代番号３が付与された削除範囲５０８の分だけ減少していることがわかる。
【０１３５】
次に，図２７に示したように，ユーザ端末５０により，出願年順が選択される（Ｓ２４６）。具体的には，公報一覧表示画面の選択欄の「出願年順」が選択される。制御ＡＰ６０は，ユーザの操作履歴を一時保存エリアである履歴エリア２４０に保存する（Ｓ２４８）。また，検索結果管理テーブル２２９に保存されているデータを出願年順に分類，ソートして（Ｓ２５０），ユーザ端末５０の表示画面に表示させる（Ｓ２５２）。
【０１３６】
次に，ユーザ入力により，出願年順に分類，ソートされたデータのなかから，出願年が「１９８１年，１９８２年」である文献データが一括削除される（Ｓ２５４）。具体的には，出願年で分類されソートされて一覧表示された文献データのなかから，出願年が「１９８１年，１９８２年」である文献データに付加された削除欄が選択され，更新実行ボタンが選択される。その際，制御ＡＰはステップＳ２４８において保存して操作履歴を取得して，その操作履歴とステップＳ２５４で実行された削除操作とを合わせて削除操作履歴とする。操作履歴取得後，履歴エリアをクリアする（Ｓ２５６）。次に，ステップＳ２５４で実行された削除操作に対応する削除世代番号を４として，削除操作履歴と削除世代番号とを関連付けて削除履歴管理テーブル２３２に保存する（Ｓ２５８）。
【０１３７】
また，検索結果管理テーブル２２９の出願年が「１９８１年，１９８２年」である文献データに削除世代番号４を付与する（Ｓ２６０）。そして，制御ＡＰ６０は画面表示を更新して，ユーザ端末の表示画面から出願年「１９８１年，１９８２年」であるデータを非表示にさせる（Ｓ２６２）。
【０１３８】
図２８は，ステップＳ２５４〜２６２において，出願年「１９８１年，１９８２年」である文献データが一括削除された結果を表すイメージ図である。ステップＳ２５４〜２６２の削除処理の結果，出願年「１９８１年，１９８２年」である文献データが一括削除され，その削除範囲５１０に削除世代番号４が付与される。図２８に示したように，削除処理の結果，ノイズ５０１−ｄは，図２６に示したノイズ５０１−ｃに比べ，削除世代番号４が付与された削除範囲５１０の分だけ減少していることがわかる。
【０１３９】
さらにノイズを除去するため，図２９に示したように，ユーザ端末５０により，出願人順が選択される（Ｓ２６４）。具体的には，公報一覧表示画面の選択欄の「出願人順」が選択される。制御ＡＰ６０は，ユーザの操作履歴を一時保存エリアである履歴エリア２４０に操作履歴を保存する（Ｓ２６６）。また，検索結果管理テーブル２２９に保存されている削除世代番号が付与されていないデータを出願人順に分類，ソートして（Ｓ２６８），ユーザ端末５０の表示画面に表示させる（Ｓ２７０）。
【０１４０】
次に，ユーザ入力により，出願人順に分類，ソートされたデータのなかから，出願人が「○○薬品」を含む文献データが一括削除される（Ｓ２７２）。具体的には，出願人で分類ソートされて一覧表示された文献データのなかから，出願人が「○○薬品」であるデータに付加された削除欄が選択され，更新実行ボタンが選択される。その際，制御ＡＰ６０はステップＳ２６６において保存した操作履歴を取得して，その操作履歴とステップＳ２７２で実行された削除操作とを合わせて削除操作履歴とする。操作履歴取得後，履歴エリアをクリアする（Ｓ２７４）。次に，ステップＳ２７２で実行された削除操作に対応する削除世代番号を５として，削除操作履歴と削除世代番号とを関連付けて削除履歴管理テーブル２３２に保存する（Ｓ２７６）。
【０１４１】
また，検索結果管理テーブル２２９の出願人「○○薬品」を含む文献データに削除世代番号５を付与する（Ｓ２７８）。そして，制御ＡＰ６０は画面表示を更新して，ユーザ端末の表示画面から出願人「○○薬品」を含むデータを非表示にさせる（Ｓ２８０）。
【０１４２】
図３０は，ステップＳ２７２〜２８０において，出願人「○○薬品」を含む文献が一括削除された結果を表すイメージ図である。ステップＳ２７２〜２８０の削除処理の結果，出願人「○○薬品」を含む文献データが一括削除され，その削除範囲５１２に削除世代番号５が付与される。図３０に示したように，削除処理の結果，ノイズ５０１−ｅは，図２８に示したノイズ５０１−ｄに比べ，削除世代番号５が付与された削除範囲５１２の分だけ減少していることがわかる。
【０１４３】
上記の削除処理の結果，ノイズが除去され，検索者が目的とする検索結果５０２とほぼ同範囲の検索結果を得ることができた。しかしながら，図３０に示したように，削除世代番号３が付与された削除範囲５０８と削除世代番号５が付与された削除範囲５１２は，検索者が目的とする検索結果５０２の範囲の一部まで削除している。つまり，削除世代番号３と削除世代番号５の削除処理によって最初の検索結果を絞り込んだ結果，検索者が目的とする検索結果の一部の文献データも削除され，検索漏れが生じてしまっている。例えば，削除世代番号５が付与された削除処理では，出願人「○○薬品」を含む文献データを一括削除したために，ノイズが除去されるとともに，必要な文献までも削除してしまっている。
【０１４４】
従来のデータ検索システムでは，データを絞り込みすぎてしまった場合には，検索条件を変更するために，検索式を組み立て直さなければならなかった。また，以前の検索式を再度呼び出して以前の検索結果を復元することができたとしても，直近の検索結果しか復元することができなかった。例えば，図３０では，削除世代番号３と削除世代番号５の削除処理により検索漏れが生じてしまったため，削除世代番号３と削除世代番号５の削除処理を取り消す必要がある。しかし，従来のデータ検索システムでは，一つ前の検索結果しか復元することができず，削除世代番号５の削除処理を取り消すことができたとしても，削除世代番号４の削除処理を取り消してからではないと，削除世代番号３の削除処理を取り消すことができない。
【０１４５】
本実施形態では，上述した削除履歴管理テーブルに保存された削除履歴の一覧を表示させて，そのなかから検索漏れの要因となる削除処理を取り消すことが可能となる。例えば，図３０の削除範囲５０８の削除を取り消して，削除範囲５０４，５０６，５１０によりノイズが削除された状態に検索結果を効率的に変更することができる。
【０１４６】
次に，図３１〜３４に基づいて，削除取消処理により検索漏れを防止する方法について説明する。まず，図３１に示したように，ユーザ端末５０により，削除履歴一覧が選択される（Ｓ２８２）。具体的には，公報一覧表示画面の選択欄の「削除履歴一覧」が選択される。制御ＡＰ６０は，削除履歴管理テーブル２３２から，削除世代番号と，削除世代番号に関連付けられた削除履歴を取得する（Ｓ２９０）。ステップＳ２９０において削除世代番号と削除履歴を取得した制御ＡＰ６０は，画面表示を更新して，削除世代番号と削除履歴を一覧にしてユーザ端末５０に表示させる（Ｓ２９２）。
【０１４７】
削除履歴一覧を表示させることにより，ユーザは，削除対象ではない文献データが削除されていないかを確認することができる。また，削除に至るまでの操作履歴も表示させることができるため，ユーザは操作履歴を確認することにより，削除した文献データの内容を容易に想起することができる。
【０１４８】
次に，ユーザ入力により，削除世代番号３，５の削除取消が実行される（Ｓ２９４）。具体的には，ステップＳ２９２で表示された削除履歴一覧のなかから，削除世代番号３および５に付加された復活欄が選択され，更新実行ボタンが選択される。その際，制御ＡＰは検索結果管理テーブル２２９に保存されている削除世代番号３および５が付与されている文献データの削除世代番号をクリアする（Ｓ２９６）。削除世代番号をクリアするとは，１以上の削除世代番号が付与されている文献データの削除世代番号を初期値の０に更新することである。そして，制御ＡＰ６０は，画面表示を更新して，ユーザ端末の履歴表示一覧画面から，削除世代番号３および５のデータを画面から非表示にする（Ｓ２９８）。
【０１４９】
図３２は，ステップＳ２８２〜２９８において，削除世代番号３および５のデータの削除が取り消された結果を表すイメージ図である。ステップＳ２８２〜２９８の削除取消の結果，削除世代番号３が付与された削除範囲５０８と削除世代番号５が付与された削除範囲５１２の削除が取り消される。図３２に示したように，削除取消処理の結果，ノイズ５０１−ｆは図３０に示したノイズ５０１−ｅよりも範囲が広くなっている。しかしながら，検索者が目的とする検索結果が削除されていないため，この削除取消処理によって，検索漏れが防止できたこととなる。
【０１５０】
次に，削除一覧に削除データを表示させて，削除を取り消す削除取消処理について説明する。図３３は，図２９に示した削除処理，すなわち削除世代番号５が付与された削除処理が行われた直後に実行される削除取消処理を説明する図である。図３３に示したように，ユーザ端末５０により，削除済みデータ一覧表示のＦＩ順が選択される（Ｓ３００）。具体的には，公報一覧表示画面の「ごみ箱」を選択して，さらに選択欄の「ＦＩ順」を選択する。制御ＡＰ６０は，検索結果管理テーブル２２９に保存されているデータのうち，削除世代番号が付与されている削除データを抽出して，さらにＦＩ順に分類，ソートする（Ｓ３０２）。ステップＳ３０２において制御ＡＰ６０は，画面表示を更新して，０以外の削除世代番号が付与された文献データをＦＩ順に分類ソートして表示させる（Ｓ３０４）。
【０１５１】
削除世代番号が付与されている削除データは，ＦＩ順だけでなく，テーマコード順，出願人順等検索者が指定できる項目によって分類ソートすることができる。これにより，検索者は削除データのなかから検索対象となるデータを容易に見つけ出すことが可能となる。
【０１５２】
次に，ユーザ入力により，ＦＩがｈ，ｋを含む削除データの削除取消が選択される。具体的には，ステップＳ３０４で表示された削除データ一覧のなかから，ＦＩがｆ，ｋを含む文献データに付加された復活欄が選択され，更新実行ボタンが選択される。その際，制御ＡＰは検索結果管理テーブル２２９に保存されている，ＦＩがｈ，ｋを含む文献データの削除世代番号をクリアする（Ｓ３０８）。そして，制御ＡＰ６０は，画面表示を更新して，ユーザ端末の削除データ一覧画面から，ＦＩがｈ，ｋを含む文献データを画面から非表示にする（Ｓ３１０）。
【０１５３】
図３４は，ステップＳ３００〜３１０において，削除データからＦＩがｈ，ｋを含む文献データの削除が取り消された結果を表すイメージ図である。ステップＳ３００〜３１０の削除取消処理の結果，ＦＩがｈである文献データの範囲５１４と，ＦＩがｋである文献データの範囲５１６のうち，削除処理で削除されているデータの削除が取り消される。これにより，図３４のノイズ５０１−ｇは残っているものの，検索者が目的とする検索結果５０２を含む漏れのない検索結果を得ることができる。
【０１５４】
以上説明したように，削除処理と削除取消処理を繰り返し実行して，検索式を作成せずとも，検索者は効率よく漏れのない検索結果を得ることができる。
【０１５５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１５６】
本発明は，データ検索システム，データ検索装置に適用可能であり，特に特許文献等の膨大な量のデータを検索するデータ検索システム，データ検索装置に適用可能である。
【図面の簡単な説明】
【０１５７】
【図１】本発明の第１の実施形態におけるデータ検索システムの全体構成図である。
【図２】同実施の形態におけるデータ検索サーバの機能構成図である。
【図３】同実施の形態における検索結果管理テーブルの内容を示す説明図である。
【図４】同実施の形態における削除履歴管理テーブルの内容を示す説明図である。
【図５】本発明の第２の実施形態におけるデータ検索システムの全体構成図である。
【図６】本発明の第３の実施形態におけるデータ検索システムの全体構成図である。
【図７】本発明の第４の実施形態におけるデータ検索システムの全体構成図である。
【図８】本発明の第１〜４の実施形態における削除処理の流れを示すフローチャートである。
【図９】同実施の形態における画面表示例である。
【図１０】同実施の形態における画面表示例である。
【図１１】同実施の形態における画面表示例である。
【図１２】同実施の形態における画面表示例である。
【図１３】同実施の形態における画面表示例である。
【図１４】同実施の形態における画面表示例である。
【図１５】同実施の形態における画面表示例である。
【図１６】同実施形態における削除取消処理の流れを示すフローチャートである。
【図１７】同実施の形態における画面表示例である。
【図１８】同実施の形態における画面表示例である。
【図１９】同実施の形態における削除処理の流れを示す説明図である。
【図２０】同実施の形態における検索結果示す説明図である。
【図２１】同実施の形態における削除処理の流れを示す説明図である。
【図２２】同実施の形態における検索結果示す説明図である。
【図２３】同実施の形態における削除処理の流れを示す説明図である。
【図２４】同実施の形態における検索結果示す説明図である。
【図２５】同実施の形態における削除処理の流れを示す説明図である。
【図２６】同実施の形態における検索結果示す説明図である。
【図２７】同実施の形態における削除処理の流れを示す説明図である。
【図２８】同実施の形態における検索結果示す説明図である。
【図２９】同実施の形態における削除処理の流れを示す説明図である。
【図３０】同実施の形態における検索結果示す説明図である。
【図３１】同実施の形態における削除処理の流れを示す説明図である。
【図３２】同実施の形態における検索結果示す説明図である。
【図３３】同実施の形態における削除処理の流れを示す説明図である。
【図３４】同実施の形態における検索結果示す説明図である。
【符号の説明】
【０１５８】
２０２      一覧表示部
２０４      削除機能表示部
２０５      削除対象非表示部
２０６      削除履歴一覧表示部
２０８      削除履歴取消機能表示部
２１０      削除履歴取消部
２１２      削除データ一覧表示部
２１４      削除データ機能表示部
２１６      削除データ取消部
２１８      分類／ソート部
２２０      削除対象選択部
２２２      削除履歴管理部
２２４      削除履歴取消対象選択部
２２６      削除データ分類／ソート部
２２８      削除データ取消対象選択部
２２９      検索結果管理テーブル
２３２      削除履歴管理テーブル
２３４      削除履歴更新部
２３６      削除データ抽出部
２３８      公報ＤＢ
２４０      データ抽出部
【図１】
2006155229.tif 000003
【図２】
2006155229.tif 000004
【図３】
2006155229.tif 000005
【図４】
2006155229.tif 000006
【図５】
2006155229.tif 000007
【図６】
2006155229.tif 000008
【図７】
2006155229.tif 000009
【図８】
2006155229.tif 000010
【図９】
2006155229.tif 000011
【図１０】
2006155229.tif 000012
【図１１】
2006155229.tif 000013
【図１２】
2006155229.tif 000014
【図１３】
2006155229.tif 000015
【図１４】
2006155229.tif 000016
【図１５】
2006155229.tif 000017
【図１６】
2006155229.tif 000018
【図１７】
2006155229.tif 000019
【図１８】
2006155229.tif 000020
【図１９】
2006155229.tif 000021
【図２０】
2006155229.tif 000022
【図２１】
2006155229.tif 000023
【図２２】
2006155229.tif 000024
【図２３】
2006155229.tif 000025
【図２４】
2006155229.tif 000026
【図２５】
2006155229.tif 000027
【図２６】
2006155229.tif 000028
【図２７】
2006155229.tif 000029
【図２８】
2006155229.tif 000030
【図２９】
2006155229.tif 000031
【図３０】
2006155229.tif 000032
【図３１】
2006155229.tif 000033
【図３２】
2006155229.tif 000034
【図３３】
2006155229.tif 000035
【図３４】
2006155229.tif 000036